(57)【特許請求の範囲】
【請求項１】
カレンダー法において使用されるロール要素であって、
ａ）外表面を有するほぼ円筒状のコアと、
ｂ）熱硬化性樹脂を注入した強化繊維マット層であって、前記繊維マット層は前記コアの外表面を円周状に囲み、前記コアの外表面と前記繊維マット層との間に配置された接着層によって接着され、前記繊維マット層は少なくとも内側層と該内側層上に配置される外側層とを備え、前記内側層はその長手方向両端部に前縁部及び後縁部を含み、前記内側層が前記コアの周りに円周状に巻き付けられたときに前記前縁部と前記後縁部とは互いに隣接するような関係にあり、前記外側層は前記内側層よりも長い、強化繊維マット層と、
ｃ）硬化した熱可塑性樹脂材料を含むカバーであって、前記繊維マットを囲むカバーとを含むことを特徴とするロール要素。
【請求項２】
前記熱可塑性樹脂は、ポリエーテルイミド、ポリエーテルスルホン、ポリフェニレンスルフィド、ポリエーテルエーテルケトン、またはポリフェニレンオキシドの内の１以上のものである請求項１に記載のロール要素。
【請求項３】
前記熱可塑性樹脂材料は、繊維密度の高い熱可塑性樹脂材料を含む下部ストック、及び、内側層の繊維密度よりも低い繊維密度を有する熱可塑性樹脂材料を含む上部ストックを備える請求項１または２に記載のロール要素。
【請求項４】
前記繊維は、ガラス繊維、炭素繊維、及びアラミド繊維の内の１以上のものである請求項３に記載のロール要素。
【請求項５】
前記下部ストックの繊維密度は、重量にして１０％〜４０％である請求項３または４に記載のロール要素。
【請求項６】
前記上部ストックは、重量にして０％〜４０％のガラス繊維、及び／または重量にして０％〜３０％のアラミド繊維、及び／または重量にして０％〜３５％の炭素繊維の繊維密度を有する請求項３または４に記載のロール要素。
【請求項７】
前記コアは金属にて形成される請求項１乃至６のいずれかに記載のロール要素。
【請求項８】
前記コアは最大１２ｍの長さを有する請求項１乃至７のいずれかに記載のロール要素。
【請求項９】
カレンダー法において使用されるロール要素のほぼ円筒状のコアに樹脂コーティングを施すことによりコアに高分子被覆を施すための方法において、
ａ）前記コアの外表面上にドライ強化マットを巻装する工程と、
ｂ）前記ロールコアはほぼ垂直に配され、コアの周囲に配されるターンテーブル上に置かれる押出し機から高温の樹脂が供給され、前記ロールコアは回転させずに前記ターンテーブルを前記コアの周りで回転させながら上昇位置から下方に下降させつつ前記高温の樹脂を前記ドライ強化マット上に適用させる工程と
を備えることを特徴とする方法。
【請求項１０】
前記適用された強化マット上にエポキシ樹脂を注入する更なる工程を含む請求項９に記載の方法。
【請求項１１】
前記樹脂は熱可塑性樹脂材料である請求項９または１０に記載の方法。
【請求項１２】
カレンダー法において使用されるロール要素のロールコアに高分子被覆を適用するための装置であって、
ａ）基部、垂直な側方枠部材、及び、該側方枠部材同士を互いに架橋する架橋部材を備え、下方を向いた第１のチャックを有する主枠組立体と、
ｂ）前記第１のチャックに対して垂直方向において同一直線上に配され、上方を向いた第２のチャックを有する垂直方向に移動可能なプラットフォーム組立体を備えた、モータ駆動式昇降機組立体と、
ｃ）前記ロールコアの下端近傍に配置され、前記ロールコアの外表面よりも大きな外周を有するスペーサ組立体と、
ｄ）前記基部上に回転可能に配され、前記ロールコアがこれを通じて垂直方向に運動可能であるような大きさに形成された中央開口を有するターンテーブルと、
ｅ）該ターンテーブル上に配置され、スペーサ組立体への固定のための前縁部を有する、一定の長さの成形テープを供給するための成形テープディスペンサと、
ｆ）前記ターンテーブル上に配置された少なくとも１つの押出し機と、
ｇ）前記昇降機組立体によりロールコアを開始位置から終了位置まで降下させ
つつターンテーブルをロールコア周りに回転させるための手段であって、これにより、前記成形テープディスペンサおよび押出し機をロールコアの周囲に円形の経路にて移動させて、テープをロールコア外表面の周囲に該表面と間隔をおいて螺旋状に巻き付けて、前記成形テープの内表面とロールコア外表面との間に所定の適用区域を画定する手段とを含み、前記押出し機は押し出されたフィラメントを前記適用区域内に適用し、前記フィラメントをロールコア外表面上に巻き付けて前記ロールコアが前記仕上がり位置に達したときに該表面を被覆する装置。
【請求項１３】
各側方枠部材の最上部に配される付勢手段であって、チェーンケーブルとこれに付随するスプロケット手段とを有し、該チェーンケーブルの一端は前記架橋部材に連結され、該チェーンは前記スプロケット手段に回り込んで延びて他端において釣り合いおもりに連結されて架橋部材の重量を相殺する付勢手段を有する請求項１２に記載の装置。
【請求項１４】
前記スペーサ組立体は、ロールコアの下端に固定された延長部分上に配され、摺動可能に該延長部分に取り付けられることにより該スペーサ組立体はロールコアの中心軸に対して回転可能である請求項１２または１３に記載の装置。
【請求項１５】
前記スペーサ組立体は、スペーサリング及び中ナットを有し、該スペーサリングは前記延長部分に摺動可能に取り付けられることにより、該スペーサ組立体はロールコアの中心軸に対して回転可能であり、前記中ナットは延長部分に固定されるとともにスペーサリングに当接する請求項１４に記載の装置。
【請求項１６】
前記スペーサ組立体は高分子フィラメントがこれを通じて押出される開口を有する請求項１４または１５に記載の装置。
【請求項１７】
前記摺動可能に取り付けられたスペーサ組立体は、孔が設けられた側壁を有し、前記ターンテーブル上には割り出しピン要素が配置され、該割り出しピン要素はピンを有し、該ピンは、ピンが前記側壁の孔から離れている後退位置から、ピンが孔に受容される伸長位置へと、ピンを割り送るために孔に対して同一直線上に整列し、ピンが前記後退位置にあるターンテーブルの回転時にはスペーサ組立体は非回転に保たれ、ピンが前記伸長位置にあるときにはスペ
ーサ組立体はターンテーブルとともに摺動回転する請求項１２乃至１５のいずれかに記載の装置。
【請求項１８】
前記モータ駆動式昇降機組立体は、垂直方向に向けられたボールねじ軸に作動連結された電気モータ組立体を有し、前記プラットフォーム組立体は、各ボールねじ軸上に配される、内側が螺刻された可動要素を有して、各可動要素はそれぞれに付随する軸の回転運動に応じて垂直方向に可動であり、前記モータによって軸が同時に回転運動を行うことにより前記プラットフォーム組立体の垂直方向の運動が行われる請求項１２乃至１７のいずれかに記載の装置。
【請求項１９】
装置は、中央部分と、該中央部分から径方向に延び、それぞれが末端を有する複数のアームとを有するＩ形鋼組立体を更に備え、該複数の径方向に延びるアームは前記垂直方向に向けられた複数のボールねじ軸に対応し、前記電気モータ組立体は前記Ｉ形鋼組立体の前記中央部分内部に配置され、各アームの前記末端は垂直に向けられたボールねじ軸の１本の自由端に連結される請求項１８に記載の装置。
【請求項２０】
前記電気モータ組立体上には更に駆動スプロケットが配され、垂直に向けられる各ボールねじ軸上にはアイドラスプロケットが配され、前記駆動スプロケット及び垂直に向けられるボールねじ軸の前記アイドラスプロケットには連続ループ駆動ベルトが掛け回される請求項１９に記載の装置。
【請求項２１】
３本の軸が三角形の配置に配され、前記プラットフォーム組立体は、それぞれに可動要素が固定された３つの角部を有するほぼ三角形をなす枠組立体であり、各可動要素は前記３本の軸の１本に螺着され、前記Ｉ形鋼組立体は１２０°の角度の間隔をおいて径方向に延びる３本のアームを有し、各アームの末端は１本のシャフトの自由端に連結される請求項２０に記載の装置。
【請求項２２】
垂直に向けられた前記軸のそれぞれに設けられる前記アイドラスプロケットは、該軸の自由端に配される第１のアイドラスプロケットを含み、各軸には更に第２のアイドラスプロケットが配され、各第２のアイドラスプロケットには連続ループ安全チェーンが掛け回される請求項２１に記載の装置。
【請求項２３】
前記Ｉ形鋼組立体は前記安全チェーンまたは各駆動ベルトの少なくともいずれか一方に当接してこれに張力を与える張力手段を有する請求項２２に記載の装置。
【請求項２４】
前記電気モータの動作時に生じる振り及び振動を低減するため、前記Ｉ形鋼組立体のアームの１本の末端に取り付けられる第１の端部と前記開口部の垂直壁に取り付けられる第２の端部とを有する少なくとも１本の固定ロッドを備える請求項２２に記載の装置。
【請求項２５】
大形開口部の前記垂直壁上に鉛直方向に対向して配される１対の線形案内レールを更に有し、各案内レール上には該案内レールの全長にわたった垂直運動を可能とするための線形軸受けが配され、各線形軸受けは前記プラットフォーム組立体に取り付けられて垂直運動におけるプラットフォーム組立体の回転及び横方向の運動を防止する請求項２４に記載の装置。
【発明の詳細な説明】
【０００１】
【発明の属する技術分野】
本発明は、金属または非金属のいずれであってもよいロールコアを樹脂注入繊維強化マット下層および高分子上層によって被覆するための方法および装置に関し、該上層は好ましくは高性能熱可塑性材料から成る。しかしながら、本発明は高性能熱可塑性材料の使用に限定されることなく、一般に、ゴムや加工可能なウレタンなどの他の押出成形可能なエラストマー、およびポリウレタンやエポキシなどの高粘度熱硬化性樹脂を使用することも意図している。注入のために用いられる樹脂は、エポキシまたは他の好ましい樹脂、たとえばシアネートエステル、ビニルエステル、フェノール系、および他の低粘度熱硬化系樹脂である。強化繊維マットは、好ましくはガラス繊維、炭素繊維、アラミド繊維（たとえばケブラー繊維）、あるいは他の鉱物／金属性高強度繊維から成る。
【０００２】
【従来の技術】
ここで、本発明は上述のような樹脂注入繊維マット下層を含むロールコア被覆に限定されないことを述べておくことが重要である。これに反して、本発明は高分子材料のみで金属ロールコアを被覆することも明らかに意図しており、該高分子材料はロールコアとの間に下層を介在せずに該ロールコアの外表面に直接適用される。
【０００３】
これらの被覆されたロールは、カレンダ加工として知られる用途を含む多くの用途に用いられる。カレンダ加工とは、たとえば布、ゴム、プラスチックまたは紙などの材料を、平滑化または研磨するために、あるいはシート状に薄くするために、ロールまたはプレート間で圧延する動作のことをいう。本願において検討する被覆ロールは、カレンダロール、ソフトニップカレンダロール、および超カレンダロールとして知られているものであり、製紙工場などの工業環境においてよく利用されている。しかしながら、本明細書中に記載する発明は上記の名称によって知られるか、あるいは上記の環境において用いられる被覆ロールに限定されることはない。
【０００４】
典型的な製紙工場においては、用紙になる紙匹シートを搬送するためだけでなく、紙匹シートを特定の等級の用紙にカレンダ加工または加工するために多数のロールが用いられている。最終紙製品は、ある一定の品質特性、たとえば高度な厚みの均一性、かさの均一性、平滑度、光沢および印刷適性を保持していなければならない。これらの品質特性を達成するために、カレンダロールは紙加工時の過酷な機械的および化学的条件に耐えることのできる材料を用いて精密に製造される必要がある。たとえば、紙加工中に紙匹シートを搬送するために使用される場合、これらの被覆ロールは用紙の搬送を可能にする引張り力を与えることが必要である。さらに、これらのロールは摩擦および腐食に対して耐性を有していなければならない。カレンダ加工のための使用時には、これらの被覆ロールは高い動応力、熱、速度、摩耗および衝撃にさらされるため、これらの要素に耐えるように製造されなければならない。こうした特別な用途に適切に機能するためには、被覆ロールは該被覆ロールに対して意図された用途に基づいた適切な表面硬度を有していなければならず、またそれらが使用される環境における高い温度および圧力に耐えるだけの高い熱耐性を有していなければならない。用途に関わらず、これらの被覆ロールはそれが使用されるシステム内における精密要素であるため、バランス、特定の大きさおよび形状の仕様、表面特性および気密耐性をを達成するように精密に製造されなければならない。被覆ロールは、繊維産業において、また磁気テープを製造する施設においても同様の搬送およびカレンダ機能を果たしている。
【０００５】
従来の先行技術のカレンダロールは、カレンダ動作時におけるカレンダロール間の金属−紙匹−金属接触を回避するために、綿充填材または熱硬化性複合層（または複数の複合層）のいずれかが付加される金属円筒体を含んでいる。綿充填ロール被覆が長い間用いられてきたのもの、頻繁に再研削する必要があるなどそれらの使用に関連していくつかの欠点があった。さらに、綿充填材料は、現代の紙製造などにおける要求の厳しい用途に付随する高圧力、高衝撃要件および高温度に耐えるのに十分なほど頑丈ではない。製紙工場においては、満足に動作している場合であっても綿充填ロール被覆を頻繁に研削または交換しなければならない。このため著しい生産停止時間と、交換用ロールのストックに付随する高いコストを要する。
【０００６】
ここ２０〜３０年の間に、合成複合ロール被覆が開発され、綿充填ロール被覆に付随する問題の多くが解決されてきた。これらの合成複合ロール被覆の殆どは、とりわけエポキシ、ゴムまたはポリエチレンなど、何らかの形の熱硬化性樹脂を基材として用い、これに強度を高めるための何らかの形の強化材料を組み合わせている。
【０００７】
一例としては、合成複合ロール被覆は強化繊維マットの単一層から成り、この単一層に熱硬化性エポキシを含浸させて硬化させる。次に硬化させた単一層の表面に機械加工を施して顧客の仕様に応じた平滑化仕上げを行う。あるいは、硬化させた単一層に機械加工を施して平滑化仕上げを行う代わりに、別のさらなる強化繊維マット層を硬化させた単一層上に付加してもよく、この追加の層にエポキシ樹脂を含浸させて硬化させて上層を形成することもできる。硬化させた上層の表面はより良好な特性を有するロールの外表面を提供し、これにさらに機械加工を施して顧客の仕様に応じた平滑化仕上げを行う。下層を形成する単一層は、金属コアと上層との間の遷移要素を提供し、被覆ロールの２層間の効率的な接着と応力分布を確立するのを助ける。また、別の層を追加することも可能である。
【０００８】
実際の使用に際しては、数インチ幅の乾燥強化繊維マットの条片をリールから繰り出し、繰り出された条片をエポキシ浴に送り込むことによって、合成複合被覆層がロールコアに付加される。ロールコアは水平に配置され、エポキシ含浸条片をロールコア上にロールコア全長に亘って前後に数回、所望の厚みに達するまで螺旋状に巻き付けるように回転される。その後、エポキシを硬化させて層を形成し、これに機械加工を施して平滑化仕上げを行う。
【０００９】
これらの合成複合ロール被覆は従来の綿充填ロール被覆に勝る良好な性能特性を有するため、その使用はここ１０年間で劇的に増加してきた。製紙産業において合成複合ロール被覆が受け入れられ使用されるようになった結果、綿充填ロール被覆が姿を消し始めた。綿充填ロール被覆よりも優れているにも拘わらず、合成複合材料、たとえば熱硬化性エポキシにはいくつかの欠点がある。たとえば、高い靱性、高い温度特性、すなわち高いガラス転移温度（Ｔｇ）などのある一定の望ましい特性を有する合成複合ロール被覆を開発するためには、常に高濃度の強化繊維を使用する必要がある。このようにして用いられる強化繊維の濃度を上げると、許容されない表面仕上げになったり、層間剥離が起きやすくなったり、もろくなったり、被覆とロールコアの金属外表面との間の接着性が低下したりといった他の望ましくない特性が生じることがある。ロール製造業者はこれらの相反する特性を最適化して優れたロール被覆を実現しようと奮闘している。当該技術分野における合成複合ロール被覆の欠陥および首尾一貫しない性能は、これまでから現在に至るまで共通の手に負えない課題で有り続けている。最近の樹脂化学における進歩をもってさえ、今日の合成複合ロール被覆は最高動作温度が約１２１℃（２５０°Ｆ）を大幅には越えず、最大ニップ圧が約０．７Ｐａ（１０，０００ｐ．ｓ．ｉ）を大幅には越えず、表面の粗さが１０Ｒａマイクロインチよりも大幅に低い動作条件において最適に機能する。
【００１０】
本発明の方法および装置は、熱硬化性エポキシから成る被覆に対抗するような、強靱な繊維マット下層と、高性能またはエンジニアリング熱可塑性樹脂外層とを有するロール被覆の製造を可能にする。前述したように、本発明の方法および装置は、上述のような強靱な繊維マット下層を含むロールコア被覆に限定されることはない。これに反し、本発明は、高分子材料をロールコアとの間に下層を介在せずに該ロールコアの外表面に直接適用し、上述のような高性能またはエンジニア熱可塑性材料などの高分子材料のみで金属ロールコアを被覆することを明確に意図するのに十分な範囲を有する。
【００１１】
エポキシ含浸条片が水平に配置されたロールコア上に螺旋状に巻き付けられるという上記において検討した従来技術の方法は、高性能熱可塑性材料を適用するためには不適切である思われる。これは熱可塑性樹脂の押出成形物単独では、水平に配置されたロールコア上に適用される際に被覆の形状を形成するのに十分な粘性を有しないためである。本発明の方法においては、ロールコアが水平ではなく垂直に向けられ、ロールコアの外表面に対して間隔を空けた状態で該表面を包囲する成形テープを使用してせき（weir）または適用領域を形成して、この領域において熱可塑性材料を押出し、硬化させ、固化させることができる。
【００１２】
熱可塑性材料は多くの非常に望ましい特性を有することから、被覆ロールコアの製造においてエポキシなどの熱硬化性材料よりも優れている。これらの特性としては、高いガラス転移温度、高い引張強さ、高い衝撃強さ、高い平滑度、より均一な表面仕上げ、およびより均質な物理的および熱的特性が含まれる。したがって、高性能熱可塑性材料によって被覆されたロールコアは、エポキシ樹脂などの熱硬化性材料によって被覆されたものに比べて優れた性能特性を有すると考えられる。本発明の方法および装置はまた、上で検討したような従来技術の熱硬化性材料によって被覆されたロールの製造も可能にする。
【００１３】
【発明が解決しようとする課題】
したがって、本発明の一般的な目的は、従来技術の外層材料の欠点を克服する、ロールコアの被覆方法および装置を提供することにある。
【００１４】
本発明のさらなる目的は、ロールコアと高性能熱可塑性外層または被覆層との間の遷移層としての働きをする下層を有するロールコアのための被覆を提供することにある。
【００１５】
本発明のさらなる目的は、被覆する金属ロールの外表面により効率よく付着する、ロールコアのための被覆を提供することにある。
本発明のさらなる目的は、ロールコアを被覆するための方法および装置であって、蓄積される内部応力を最小限に抑え、これによりひび割れ、層間剥離またはエッジリフティングの可能性を最小限に抑える方法および装置を提供することにある。
【００１６】
本発明のさらなる目的は、被覆ロールコアの早期故障の可能性を最小限に抑えるロールコアを被覆するための方法および装置を提供することにある。
本発明のさらなる目的は、高い引張強さを有する高分子被覆が得られるような、ロールコアの被覆方法および装置を提供することにある。
【００１７】
本発明のさらなる目的は、より適切なヤング係数を有する高分子被覆が得られるような、ロールコアの被覆方法および装置を提供することにある。
本発明のさらなる目的は、被覆が高いガラス転移温度を有することを特徴とする、ロールコアの被覆方法および装置を提供することにある。
【００１８】
本発明のさらなる目的は、被覆が高い耐久性と長い寿命を有することを特徴とする、ロールコアの被覆方法および装置を提供することにある。
本発明のさらなる目的は、従来技術の方法および装置に比べて費用がかからないロールコアの被覆方法および装置を提供することにある。
【００１９】
本発明のさらなる目的は、被覆がエポキシ樹脂などの熱硬化性材料からなる従来技術の被覆よりも平滑な外表面を有することを特徴とする、ロールコアの被覆方法および装置を提供することにある。
【００２０】
本発明のさらなる目的は、極度に高い圧力または高温加熱条件および高速下において損傷することのない被覆を有する被覆ロールが得られるような、ロールコアの被覆方法および装置を提供することにある。
【００２１】
本発明のさらなる目的は、被覆ロールの外径に基づいて容易に得られる曲率半径を有する成形テープ集成体を製造するための方法および装置を提供することにある。
【００２２】
本発明のさらなる目的は、使用者が得られる成形テープ集成体の曲率半径を決定することのできるような、成形テープ集成体の製造方法および装置を提供することにある。
【００２３】
本発明のさらなる目的は、被覆ロールの製造中にそれ自身の上に巻き付いて実質的に直線状の円筒体を形成する成形テープ集成体を提供することにある。
本発明のさらなる目的は、得られる成形テープの高さが容易に制御されることを特徴とする、成形テープ集成体の製造方法および装置を提供することにある。
【００２４】
本発明のさらなる目的は、多重構造の成形テープ集成体を製造するための方法および装置を提供することにある。
本発明のさらなる目的は、被覆が高い衝撃強さを有することを特徴とする、ロールコアの被覆方法および装置を提供することにある。
【００２５】
本発明のさらなる目的は、極度に高い圧力、高い加熱および高速条件下において一貫して機能するロールコアのための被覆を提供することにある。
本発明のさらなる目的は、被覆が高い圧縮強さを有することを特徴とする、ロールコアの被覆方法および装置を提供することにある。
【００２６】
本発明のさらなる目的は、被覆が高い熱耐性を有することを特徴とする、ロールコアの被覆方法および装置を提供することにある。
本発明のさらなる目的は、表面の不規則性を最小限に抑えるガラスまたは他の強化繊維マット下層を製造し巻き付ける方法および装置を提供することにある。
【００２７】
本発明のさらなる目的は、径方向、軸方向および周方向の引張強さを向上させるガラスまたは他の繊維マット下層を提供することにある。
本発明のさらなる目的は、金属ロールコアの外表面上に密に巻き付けられたガラスまたな他の繊維マット下層を提供することにある。
【００２８】
本発明のさらなる目的は、エポキシ樹脂の注入中に空隙が最小限に抑えられることを特徴とする、ロールコアの被覆方法および装置を提供することにある。
本発明のさらなる目的は、高い繊維濃度の接着層を有する高温の高分子材料によってロールコアを被覆するための方法および装置を提供することにある。
【００２９】
本発明のさらなる目的は、熱可塑性材料が単一の層を構成することを特徴とする、熱可塑性材料によるロールコアの被覆方法および装置を提供することにある。
【００３０】
本発明のさらなる目的は、合成材料が単一の層を構成することを特徴とする、合成複合材料によるロールコアの被覆方法および装置を提供することにある。
本発明のさらなる目的は、固化前に熱可塑性材料のたわみを防ぐ、熱可塑性材料によるロールコアの被覆方法および装置を提供することにある。
【００３１】
本発明のさらなる目的は、被覆が最小限の残留応力しか有しないことを特徴とする、ロールコアの被覆方法および装置を提供することにある。
本発明のさらなる目的は、被覆の適用中にロールコアが装置内において水平ではなく垂直に配置されることを特徴とする、ロールコアの被覆方法および装置を提供することにある。
【００３２】
本発明のさらなる目的は、従来技術の方法よりも製造時間の短いロールコアの被覆方法および装置を提供することにある。
【００３３】
【課題を解決するための手段】
本発明の上記および他の目的は、エポキシまたは他の熱硬化性樹脂を注入したガラス繊維または他の繊維マット下層と、高分子材料、好ましくは高性能熱可塑性材料からなる平滑な外層とを有する被覆ロールを製造するための方法、装置および要素を提供することによって達成される。マットは複数の層から構成され、各層はロールコアに巻き付けられたときに後縁部に当接する前縁部を有し、各後続の層は先行する層に継ぎ目に沿って固定され、継ぎ目同士は角度方向に互いに間隔が空けられ結果として得られる被覆ロールコアの表面上に凹凸が生じるのが防止されている。ガラス繊維マットなどの１層またはそれ以上の乾燥繊維マットは、不規則なパターンで配列された繊維を有する第１の層と、ロールコアの中心軸に対して平行または垂直に配向された繊維を有する第２の層との２重構造から構成してもよい。本発明はまた、ロールコア上に高分子被覆材料を適用する際に用いる改良された成形テープ集成体、および該成形テープ集成体を製造するための新規な装置も含む。成形テープ集成体は、実質的に平行かつ部分的に重複して配列された少なくとも２本のリボンから構成され、それらのリボンは所定の曲率半径でスポット溶接されている。成形テープ集成体を製造するための装置は、溶接前にリボンを整合するための新規な装置と、溶接中に所定の曲率半径でリボンを配置するための新規な湾曲シューとをさらに含んでいる。
【００３４】
前述したように、本発明は樹脂注入繊維マット下層を含むロールコア被覆に限定されず、高分子材料がロールコアとの間に下層を介在せずに該ロールコアの外表面に直接適用されるような、高分子材料のみで金属ロールコアを被覆するための方法および装置も明らかに意図している。
【００３５】
本発明の１つの目的は、改良された被覆を有するロール要素を提供することにある。
本発明の１つの態様に従えば、カレンダ加工などの加工に用いられるロール要素が提供され、該要素は被覆を有する略円筒形のコアを含み、該被覆は硬化された熱可塑性材料を含むことを特徴としている。
【００３６】
熱可塑性材料は、広範な材料から選択することができる。好ましくは、熱可塑性材料は、ポリエーテルイミド、ポリエーテルスルホン、ポリフェニレンスルフィド、ポリエーテルエーテルケトン、またはポリフェニレンオキシドのうちの１つまたはそれ以上である。
【００３７】
１つの好ましい態様において、熱可塑性材料は、高い繊維濃度を有する熱可塑性材料から成る内側層と、内側層よりも低い繊維濃度を有する熱可塑性材料から成る外側層を含む。
【００３８】
好ましくは、繊維はガラス繊維、炭素繊維またはアラミド繊維のうちの１つまたはそれ以上である。
好ましくは内側層中の繊維濃度は１０〜４０重量％である。
【００３９】
１つの好ましい態様において、内側層は硬化した熱硬化性樹脂中の繊維から成る繊維マットを含む。好ましくは、外側層中の繊維濃度はガラス繊維で０〜４０重量％、アラミド繊維で０〜３０重量％、および／または炭素繊維で０〜３５重量％である。
【００４０】
円筒体は、金属またはプラスチックや紙などの非金属のいずれから成るものであってもよい。
エポキシ含浸条片を水平に配置されたロールコア上に螺旋状に巻き付ける既知の被覆方法は、熱可塑性材料を適用するためには不適切である。これは、熱可塑性樹脂の押出物単独では、水平に配置されたロールコアに適用されたときに被覆を形成するのに十分な粘性を有しないからである。
【００４１】
本発明の他の目的は、本発明の被覆をロールコアに適用するのに適した方法を提供することにある。
他の態様において、本発明はロール要素の略円筒形のコアの表面にプラスチックを適用することにより、高分子被覆を該ロール要素の略円筒形のコアに適用するための方法であって、ロールコアが実質的に垂直に配置され、高温のプラスチックがコアの周辺に配置されたターンテーブルに搭載された押出装置から供給されることを特徴とする方法を提供する。
【００４２】
好ましくは、本方法は乾燥強化マットをコアの外表面上に巻き付ける工程を含む。
好ましくは、本方法は適用された強化マット上にフィルタ材料を注入するさらなる工程を含む。
【００４３】
さらに他の態様において、本発明は高分子被覆をロールコアに適用するための装置を提供し、該装置は、ａ）基部と、垂直な側方枠部材と、側方枠部材を架橋する横断枠部材とを含み、下方に向いた第１のチャックを有する主枠組立体と、ｂ）第１のチャックと垂直方向に一直線上に配置された上方に向いた第２のチャックを有する、垂直に移動可能なプラットホーム組立体を含む、モータ駆動式昇降機組立体と、ｃ）ロールコアの下端付近に配置され、ロールコアの外表面よりも大きな円周を有するスペーサ組立体と、ｄ）基部上に回転可能に取り付けられ、ロールコアの垂直移動を収容するような寸法の中央開口部を有するターンテーブルと、ｅ）ターンテーブル上に配置され、スペーサ組立体への固定のための前縁部を有する、一定の長さの成形テープを供給するための成形テープディスペンサと、ｆ）ターンテーブル上に配置された少なくとも１つの押出し機と、ｇ）昇降機組立体の回転によりロールコアを開始位置から終了位置まで降下させながらターンテーブルをロールコア周りに回転させるための手段であり、これにより、成形テープディスペンサおよび押出し機をロールコアの周囲の円形経路内において移動させて、テープをロールコア外表面の周囲に該表面と間隔を空けて螺旋状に巻き付けて、前記成形テープの内表面とロールコア外表面との間の適用区域を規定する手段とを含み、前記押出し機は押し出されたフィラメントを前記適用区域内に適用し、前記フィラメントをロールコア外表面上に巻き付けて前記ロールコアが仕上がり位置に達したときに該表面を被覆する。
【００４４】
さらに他の態様において、本発明は複数のリボンから成形テープを作製するための装置を提供し、該装置は、ａ）複数の供給スプールであって、それぞれ一定長の単一のリボンを当該スプール上に巻かれた状態で受容する複数の供給スプールと、ｂ）各供給スプールから単一のリボンを同時に受け取り、単一のリボンを実質的に平行かつ部分的に重なり合う配向に整合するための整合組立体と、ｃ）湾曲シューであって、整合されたリボンを整合組立体から受け取り、溶接の間該リボンが該シュー上を搬送される際に該リボンを所定の曲率半径で支持するための湾曲シューと、ｄ）湾曲シューの上部に配置された溶接手段であって、整合され部分的に重なり合った単一のリボンを該リボンが湾曲シュー上を搬送される際にともに溶接し、成形テープ集成体を形成するための溶接手段と、ｅ）搬送手段であって、単一リボンを各供給スプールから引き出し、該リボンを同時に整合組立体内および湾曲シュー上に搬送し、最終成形テープ集成体を該搬送手段上に巻き取られた状態で受容する搬送手段とを含む。
【００４５】
さらに他の態様において、本発明は、各リボンが所定の幅を有する少なくとも第１および第２の単一リボンを実質的に平行かつ部分的に重なり合う配向に整合するための組立体を提供し、該組立体は、ａ）溝および該溝に隣接する棚状部を含む床部を有する包囲チャネルであって、前記溝は第１の単一リボンの全幅を収容するような寸法を有し、棚状部は溝の上方に立設され実質的に溝と平行であり、第２の単一リボンの幅の一部分のみを該棚状部上に収容するような寸法を有し、第２の単一リボンの残りの幅は部分的に第１のリボンに重なりあうような包囲チャネルと、ｂ）包囲チャネル内に配設された少なくとも１つのローラであって、前記ローラは溝の上に該溝と間隔を空けて配置されそれらの間でのみ第１のリボンの経路を収容する第１の肩部を有し、前記ローラは棚状部の上に該棚状部と間隔を空けて配置されそれらの間でのみ第２のリボンの経路を収容する第２の肩部を含み、第１の肩部は第２の肩部よりも大きな径を有しているローラとを含む。
【００４６】
さらに他の態様において、複数の単一リボンを受け取り、溶接中にその上方を該リボンが搬送される際に所定の曲率半径で該リボンを支持するための湾曲シューが提供され、該湾曲シューは、ａ）互いに所定の距離の間隔を空けた第１および第２の固定要素であって、各要素は複数の整合された単一リボンが該要素上部を搬送される際にこれらを支持するように構成された上面を含む第１および第２の固定要素と、ｂ）固定要素間に配設された調節可能要素であって、前記調節可能要素は複数の整合された単一リボンが該要素上部を搬送される際にこれらを支持するように構成された上面を含み、前記調節可能要素は、整合されたリボンが固定ヘッドおよび調節可能なヘッドの上面に渡されて該上面上に最大曲率半径で維持される下降位置から、整合されたリボンが固定された調節可能なヘッドの上面に渡されて該上面上に最小曲率半径で維持される上昇位置までの調節を行うように構成されており、前記調節可能なヘッドは下降位置と上昇位置との間の任意の位置において固定可能であり、リボンの曲率半径を最大曲率半径と最小曲率半径との間の任意の曲率半径に調節することを可能にする調節可能要素とを含んでいる。
【００４７】
本発明の他の新規的および進歩的態様は、従属請求項に記載されている。
本発明の他の目的および多くの付随する特徴は、添付の図面と組み合わせて考慮された場合に以下の詳細な説明からより良く理解され、容易に把握されるであろう。
【００４８】
【発明の実施の形態】
ここで図面中の様々な図を詳細に参照するが、図面においては同様の参照符号は同様の部材を指すものとする。図１および図２の符号１０により、高分子材料、好ましくは高性能熱可塑性材料をロールコアの外表面に適用するための装置が示されている。ここで、本発明の１つの態様に従えば、ロールコアが図１および図２に示される装置１０内に配置される前に、ロールコアの外表面上に乾燥ガラス繊維マットまたは他の繊維マット層３３２が巻き付けられることを述べておくことが重要である。図２０は、ロールコアの表面に巻き付けられた乾燥ガラス繊維マット層３３２を示している。ガラス繊維マット３３２の構成の詳細ならびにマット３３２をロールコア３２０上に巻き付けて層を形成する方法については、本明細書中で後述する。ここでは装置１０が、すでに乾燥ガラス繊維マット層３３２の巻き付けられたロールコア３２０を受容するように構成されるということだけ述べておけば十分であろう。装置１０はまた、巻き付けを行ったロールコアをほぼ垂直な方向に保持し、高分子材料の層をガラス繊維マット層３３２上に適用して被覆ロール、たとえば製紙工場などの工業的環境において使用される大型のカレンダロールまたは超カレンダロールを形成するように構成されている。製紙工場においては、ロールは抄紙機を通過して最終用紙となる紙匹シートの搬送に用いられる。好ましくは、高分子被覆は高性能熱可塑性材料からなる。しかしながら、本発明の方法および装置は、一般に他の種類の高分子材料、たとえばゴムまたは加工可能なウレタンを含む他の押出可能なエラストマー、ならびにポリウレタンやエポキシなどの高粘性熱硬化性樹脂などを用いることも意図している。
【００４９】
本発明が上述のような樹脂注入繊維マット下層を含むロールコア被覆に限定されないことを述べておくことも重要である。これに反して、本発明は高分子材料がロールコアとの間に下層を介在せずに該ロールコアの外表面に直接適用されるような、高分子材料のみで金属ロールコアを被覆することも明らかに意図している。本発明のこの態様の実施形態は、本明細書中で後述する。
【００５０】
図１および図２に示されるように、装置１０は、基部２０と、基部２０に垂直に立設された一対の側方枠部材２５および３０間に水平に配置された横断枠部材３５とを含んで構成される主枠組立体１５を含んでいる。ここで示す本発明の実施形態において、ロールコアはロールコア製造業者から所望の使用、長さ、直径で購入することができる従来のロールコアである。
【００５１】
図２および図３に最適に示されるように、各側方枠部材２５および３０は、任意の適切な高さ、たとえば約１２メートル（４０フィート）を有することができ、また任意の適切な構造のもの、たとえばＩ形鋼から構成することができる。同様に横断枠部材３５は、任意の適切な靱性材料、たとえば箱形ビーム製作物から構成することができる。図２に最適に示されるように、横断枠部材３５は側方枠部材２５および３０間に延び、それらの間において鉛直方向に運動するように構成されている。側方枠部材２５は精密直線軌道４５を有する内面４０を含み、精密直線軌道４５は内面４０上をその長手方向に走行する。同様に側方枠部材３０は精密直線軌道５５を有する内面５０を含み、該精密直線軌道５５は内面５０上をその長手方向に走行する。横断枠部材３５の底面には、その両端部にブラケット組立体６０および６５が取り付けられている。ブラケット組立体６０は、横断枠部材３５の精密直線軌道４５への摺動装着を可能にするように、精密直線軌道４５上に配置されるように構成されたガイド軸受（図示せず）を含むウェブ部分６０ａを含んでいる。同様に、ブラケット組立体６５は、横断枠部材３５の精密直線軌道５５への摺動装着を可能にするように、精密直線軌道５５上に配置されるように構成されたガイド軸受（図示せず）を含むウェブ部分６５ａを含んでいる。このようにして横断枠部材３５は、側方枠部材２５および３０の上部付近の上昇位置から側方枠部材２５および３０の底部付近の下降位置まで下方向に垂直に移動することができる。さらに、各側方枠部材２５および３０には、横断枠部材３５が上昇位置を越えてさらに上昇移動するのを防ぐために、該側方部材の上部にリミットストップ３１が設けられている。
【００５２】
主枠組立体１５は、横断枠部材３５を側方枠部材２５と３０の間に懸架し、横断枠部材３５の重量を打ち消すための釣り合いおもり組立体をさらに含んで構成される。ここで図１〜３を参照すると、釣り合いおもり組立体は、一端において横断枠部材３５に装着された一対のローラ鎖７０ａおよび７０ｂを含んでいる。ローラ鎖７０ａおよび７０ｂは、両端において釣り合いおもり８５に装着されている。図３に最適に示されるように、釣り合いおもり８５は、側方枠部材２５の外表面上に配設された長手方向レール９０に沿って移動する。同様に、組立体１００ａおよび１００ｂ上に一対のローラ鎖７５ａおよび７５ｂが延び、それぞれ側方枠部材３０の上部に配置された一対のローラ鎖スプロケットを含んでいる。ローラ鎖７５ａおよび７５ｂは、それらの両端において、釣り合いおもり８５と同様の釣り合いおもり１０５に装着されており、長手方向レール１１０上を移動する（図３）。
【００５３】
後述する方法によってロールコアを装置内に垂直に配置する前に、横断枠部材３５は上昇位置またはその付近まで移動させなければならない。ここで図１、図２および図３を参照すると、横断枠部材３５を上昇位置まで上昇させるために、電気駆動組立体１４５が、側方枠部材３０の上部の１００ｂにある一方のローラ鎖スプロケットに駆動可能に連結される。この電気駆動組立体１４５は、基本的に、組立体１００ｂ内の一方のローラ鎖スプロケットに駆動可能に連結されたクラッチブレーキ（図示せず）を介して歯車減速機（図示せず）に連通する、電気モータを含んで構成される。組立体１００ｂ内のモータ駆動式ローラ鎖スプロケットは、介在する駆動アクスル１５０を介して組立体１００ａ内のローラ鎖スプロケットに連結される。このように、電気駆動組立体１４５は、両組立体１００ａおよび１００ｂ内に設けられたローラ鎖スプロケットとの連結によって、一方の端部において横断枠部材３５に連結し他方の端部において釣り合いおもり１０５に連結する、ローラ鎖７５ａ（図２に最適に示されている）および７５ｂ（図３のみに示されている）を駆動する。
【００５４】
同様に、駆動組立体１４５と同じ要素から構成される電気駆動組立体１２５は、側方枠部材２５の上部において組立体８０ａ内部の一方のローラ鎖スプロケットに駆動可能に連結される。組立体８０ａ内のモータ駆動式ローラ鎖スプロケットは、介在する駆動アクスル１３０を介して組立体８０ｂ内のローラ鎖スプロケットに連結される。このように、同様の方法によって、電気駆動組立体１２５は、一方の端部において横断枠部材３５に連結し他方の端部において釣り合いおもり８５に連結するローラ鎖７０ａおよび７０ｂを駆動する。駆動組立体１２５および１４５は、同期して動作し、横断枠組立体３５の均衡のとれた上昇および下降を達成している。
【００５５】
あるいは、反対側の端部に直角ギヤボックスを有する軽量のトルクチューブ（図示せず）を用いることにより、上記の駆動組立体のうちの一方、すなわち駆動組立体１２５を省略することもできる。特に、その端部の一方において、トルクチューブは直角ギヤボックスに接続することができ、該ギヤボックスの出力が組立体１００ａ内のローラ鎖スプロケットに連結される。トルクチューブは、横断枠部材３５の上方で側方枠部材３０から側方枠部材２５にかけて延びる。反対側の端部において、トルクチューブは組立体８０ａ内のローラ鎖スプロケットに連結された他の直角ギヤボックスを駆動する。このようにして、第２の同時に駆動される駆動組立体１２５を無くすことができる。このように、トルクチューブ（図示せず）および駆動アクスル１３０および１５０を介して、横断枠部材３５の上昇および降下を単一の駆動組立体１４５を用いて均衡しかつ同期した状態で達成することができる。釣り合いおもりが設けられていることから、電気駆動組立体１４５は横断枠部材３５を上昇させるために少量の釣り上げ力しか作用させる必要がない。
【００５６】
図１および図２を参照すると、基部２０は、任意の適切な材料たとえば厚み約２．５ｃｍ（１インチ）の鋼製シリンダから成る垂直壁１８２を含む一般に円筒形状の中央開口部１８０をさらに含んで構成される。垂直壁１８２は耐水性であってもよい。中央開口部１８０は、その内部に配置されるモータ駆動式昇降機組立体１８５（図５）を収容するのに十分な大きさの任意の寸法とすることができ、たとえば約１３．４メートル（４４フィート）である。ここで図５を参照すると、モータ駆動式昇降機組立体１８５は、複数の歯車減速機２１２に駆動可能に連結されたモータ１９０を含んで構成され、該複数の歯車減速機２１２の出力軸は、モータの作動に応答して同期して回転する複数の螺刻されたボールねじ軸１９５に接続されている。各ボールねじ軸１９５は、垂直壁１８２に隣接固定され、そこからブラケット１９７によって中央開口部内へと懸架されている（図２）。各ボールねじ軸１９５の反対側の駆動端部は、中央開口部１８０内に自由に懸架されている。図２において最適に示されるように、各ボールねじ軸１９５は、ボールねじ軸１９５の回転運動を可能にする従来の軸受箱１９８内に取り付けられている。図５を再度参照すると、モータ１９０には該モータ１９０の下方に延び、その上部に延びる複数の連続するループ駆動タイミングベルト２０５を収容することのできる駆動プーリ２００が設けられている。駆動タイミングベルト２０５は、タイミングベルトスプロケット２１０上にも延びて、ボールねじ軸１９５の同期回転を可能にする。歯車減速機機構２１２は、各タイミングベルトスプロケット２１０と各ボールねじ軸１９５の間に、タイミングベルトスプロケット２１０からボールねじ軸１９５への１分あたりの回転を減らす目的で設けられる。歯車減速機２１２は、ボールねじ軸１９５とタイミングベルトスプロケット２１０を連結する任意の適切な構成のものとすることができる。
【００５７】
図５に最適に示されるように、各ボールねじ軸１９５上には、ボールねじ軸１９５の回転運動に応じて垂直かつ非回転的に運動する、内側が螺刻された可動ボールナット要素２１５が設けられている。この可動ボールナット要素２１５は、水平板２２５を含んで構成される略三角形のプラットホーム組立体２２０の角に固定される。前記水平板２２５上には上方に向いた連動チャック２３０が固定されている。上方に向いた連動チャックはロールコアの底部を受容するように構成されている。したがって、一方方向におけるボールねじ軸１９５のモータ駆動同期回転により、プラットホーム組立体２２０が上方に動かされる。同様に、反対方向におけるボールねじ軸１９５のモータ駆動同期回転により、プラットホーム組立体２２０が下方に動かされる。横断枠部材３５の場合と同様に、プラットホーム組立体２２０は、可動ボールナット要素２１５がブラケット１９７に隣接したボールねじ軸１９５の上部付近の位置にくる上昇位置から、可動ボールナット要素２１５が鎖スプロケット２７５の真上の位置にくる下降位置までの間を中央開口部１８０内で移動するように構成されている。
【００５８】
モータ１９０は、２枚の円形板２４５および２５０から成る中央部分を含んで構成される枠組立体２４０の中央に収容されている。前記２枚の円形板２４５および２５０のそれぞれは、モータ１９０が配置される中央開口部を有している。枠組立体２４０はまた、中央部分から１２０°の間隔をおいて径方向に延びるアーム２５５を含んで構成される。各アーム２５５は、２つの水平なウェブの間に介在された垂直ウェブを含むＩ形鋼から構成されている。各アームはその基端部において、たとえば溶接などの任意の適切な手段によって中央部分に固定されている。より詳細には、円形板２４５はアーム２５５の上面に固定されており、円形板２５０は同様にして上記アームの底面に固定されている。ブラケット２７０は各アーム２５５の先端部において、たとえばボルト締めなどの任意の適切な手段によってその上面に固定されている。
【００５９】
ここで図５および７を参照すると、枠組立体２４０全体が複数の繋留ロッド２５７によって垂直壁１８２に固定されており、各繋留ロッドには螺刻された部分およびこれを覆って配される、内側が螺刻されたターンバックルが設けられ、各繋留ロッド２５７の締め付けおよび緩めを可能にしている。各繋留ロッド２５７は、各アーム２５５の先端部に配置されたブラケット２７０に装着するように構成された第１の端部と、開口部１８０の垂直壁１８２に装着するように構成された第２の端部とを含んで構成される。図７に最適に示されるように、繋留ロッド２５７は、対を成して構成され、電気モータ１９０の動作中に発生する振りおよび振動を低減しつつ、熱および負荷によって誘引されるボールねじ軸１９５の長さの変化を許容する目的で、電気モータ１９０の回転運動の方向に対して接線方向に配設される。
【００６０】
各ブラケット２７０は内部孔を含み、この内部孔にボールねじ軸１９５の１つが挿通される。各ボールねじ軸１９５には、各ブラケット２７０の直ぐ上の位置にさらなる鎖スプロケット２７５が設けられる。連続安全チェーン２８０が鎖スプロケット２７５に掛け回される。安全チェーン２８０は、装置１０の動作中に駆動タイミングベルト２０５が故障した場合に、ボールねじ軸１９５の同期的な回転が確実に続行されるようにするためのものである。各ブラケット２７０と各アームの上面との間に固定された板２９０は、安全チェーンに張力を与えるために該安全チェーンに当接する引張ローラ組立体２８２に対する取付面として機能する。同様に、アーム２５５の底面から下方に延びている複数のローラ組立体２９５は、駆動タイミングベルト２０５に張力を与える。
【００６１】
図５および図６に最適に示されるように、一対の線形案内レール３００が開口部１８０の垂直壁１８２上に垂直に対向配置されている。三角形のプラットホーム組立体２２０の両端に固定されたブラケット組立体３０５は、線形軸受３１０を含み、各線形軸受は各線形案内レール３００上に配置されて、各線形軸受が案内レール３００の全長に亘って垂直に摺動できるように構成されている。このようにして三角形のプラットホーム組立体２２０を案内レール３００に装着することにより、上昇および下降中におけるプラットホーム組立体２２０の回転および横方向の移動が防止される。
【００６２】
ここで図２および図９を参照すると、ガラス繊維マット３３２を巻き付けたロールコア３２０が、上方に向いた連動チャック２３０と横断枠部材３５の底面に設けられた下方に向いた連動チャック３２５の間に配置されている。本明細書中でこれまでに何度も記載しているように、本発明は図９に示されるような樹脂注入繊維マット下層を含むロールコア被覆の製造には限定されない。本発明は、高分子材料がロールコアとの間に下層を配置せずに該ロールコアの外表面に直接適用されるような、高分子材料のみで金属ロールコアを被覆するために本明細書に記載の装置を使用することも明らかに意図している。そのような繊維マット下層を持たずに高分子材料が外表面に直接適用されたようなロールコアが図１１（ｂ）に示されている。したがって、本発明においては、ガラス繊維マット３２５が巻き付けられていないロールコアもまた、本発明に従ってロールコアの外表面に直接高分子層を適用するためにチャック２３０と３２５の間に配置することができる。この垂直配向で装置１０内に載置された場合、ロールコアは上端部３１７と底端部３１９とを含む。連動チャックの位置合わせによりロールコア３２０が確実に垂直に配置されるようにする。ロールコア３２０は、所定の長さを有し、一般には筒形であり、中心軸とたとえば金属などの任意の適切な材料から成る外表面を含んでいる。前述したように、本発明の１つの態様に従えば、ロールコアを対向するチャック２３０と３２５の間に配置する前に、ロールコアの外表面上に乾燥ガラス繊維マット層３３２が巻き付けられる。したがって、図２に示されるように、対向するチャック間にはすでに乾燥ガラス繊維マット層３３２が巻き付けられたロールコア３２０が配置されている。ガラス繊維マット３３２の構成の詳細ならびにマット３３２をロールコア３２０上に巻き付けて層を形成する方法については、本明細書中で後述する。
【００６３】
図９に最適に示されるように、金属ロールコア３２０は、該ロールコアの端部に任意の適切な手段によって固定されたキャップ３２４をさらに含んで構成される。キャップ３２４はロールコアの周面とほぼ同じ円周を有し、ジャーナル３３０を含んでいる。ジャーナル３３０は、金属ロールコア３２０の中心軸と同心円上にあり、金属ロールコア３２０を対向する連動チャック２３０および３２５内に固定することを可能にしている。キャップ３２４には螺刻された開口部３２７が設けられ、ボルト３３５などの任意の適切な手段による延長部分３４０の装着を可能にしている。各延長部分３４０は、ロールコアの円周とほぼ等しい円周を有し、ジャーナル３３０上に延長部分３４０を配置して、該延長部分３４０のキャップ３２４への装着を可能にするための中央開口部３４５を含む。ここで、図面中に示された延長部分３４０および図示した該延長部分３４０のロールコアキャップ３２４への装着の方法は単なる例にすぎないことを述べておくことが重要である。多くの異なる構成を有する延長部分が、様々な方法でのロールコアへの装着を可能にするために適用されうる。ガスケット（図示せず）を延長部分３４０とキャップ３２４の間に挿入して、これらの間を確実に気密封止することもできる。さらに、スペーサ組立体３５０が、ロールコア３２０の底端部３１９に装着されるように、該ロールコア３２０上に位置する延長部分３４０上に配置される。図９および図２０に最適に見られるように、スペーサ組立体３５０は、スペーサリング３５５と中ナット３６０とを含んで構成される。スペーサリング３５５は、ロールコア３２０の外周よりも大きな外周を有し、中ナット３６０によって延長部分３４０上に摺動可能に取り付けられている。特に、図９に最適に示されるように、スペーサリング３５５は延長部分３４０と当接する関係にもたらされ、中ナット３６０はスペーサリング３５５に当接し、たとえばボルト３６５などの任意の適切な手段によって延長部分３４０に固定される。このようにスペーサリング３５５を装着することにより、該スペーサリングは延長部分３４０の外表面の周りを同心円状に摺動可能に回転することができる。
【００６４】
図２０を再度参照すると、スペーサリング３５５は、僅かに傾斜した上面３５５ａを含み、該上面３５５ａはロールコアの周囲に約一回転分延長して傾斜路を形成している。上面３５５ａの全長に亘っての傾斜量、たとえば約１．３ｃｍ（０．５０インチ）は、ロールコア３２０の下方移動速度、たとえば後述のターンテーブル４００一回転当たり約１．３ｃｍ（０．５０インチ）に基づいている。スペーサリング３５５には開口部３５６も設けられており、該開口部３５６を通してロール被覆材料を押し出すことができ、押出し機に対する始動調整は以下で詳細に検討する方法で行われる。
【００６５】
ここで図２および図３を参照すると、装置１０は中央開口部４０５を含むターンテーブル４０をさらに含み、該中央開口部４０５は、円形で、基部２０内の中央開口部１８０と同心円上にありかつ実質的に同じ径を有している、その結果、ロールコア３２０が連動チャック３２５と２３０の間に配置されて固定されると、該ロールコア３２０は、底端部３１９を含めたロールコア３２０全体が基部２０およびターンテーブル４００の上方に配置されるような上昇位置から、ロールコアの全長３２０がターンテーブルの中央開口部４０５内かつ基部の中央開口部１８０内に配置されるような下降位置まで降下される。
【００６６】
ここで図２および図４を参照すると、ターンテーブル４００はレース組立体によって基部２０に回転可能に取り付けられており、該レース組立体はターンテーブル４００の下側に装着された上部レース４５５（図４に最適に示されている）と、基部２０の一部に装着された下部固定レース４５０（図２に最適に示されている）とを含んでいる。下部および上部レースは協働して玉軸受４６０が配置される軌道を構成し、基部２０上におけるターンテーブル４００の回転を可能にする。ターンテーブルの回転中心は、上部および下部チャック組立体３２５および２３０の中心軸に揃えられている。図２を再度参照すると、関連する歯車減速機４７５を有するモータ４７０が、ターンテーブル４００の下方において基部２０の表面に取り付けられている。モータ４７０は、ターンテーブル４００の下側に配置された上部レース４５５と一体化されたリングギヤ４６５を有する歯車減速機の大歯車４７３（図４に最適に示されている）によって、ターンテーブル４００に駆動的に連結されている。このようにして、モータ４７０とそれに関連する歯車減速機４７５はターンテーブル４００の回転運動を制御する。
【００６７】
図２および図３において、ターンテーブル４００上に配置された複数の細長いスロット５１４内に移動可能に固定されたプラットホーム５１２に取り付けられた幾つかの要素が示されている。これらの要素には、押出し機組立体４１０、誘導加熱炉組立体４２０、巻き付けられた成形テープ４４０を一定の長さで供給するための成形テープディスペンサ４３０、ピン割り出し要素４４９および他の以下で検討する要素が含まれる。このようにして、プラットホーム５１２は細長いスロット５１４に沿って移動され、プラットホームに取り付けられた要素のロールコアからの距離を調整することができ、これにより、これに先立って適用された乾燥ガラス繊維マット層３３２にフィラメント５１０を適用する前に該フィラメントの厚さを調整することが可能になる。言い換えれば、調整可能なプラットホーム５１２は、ロールコアの径方向の寸法を参照して装置の径方向の位置決めを行うことができる。あるいは、これらの要素はターンテーブルに直接取り付けられてもよい。ターンテーブル４００が基部２０に回転可能に取り付けられていることから、これらの要素がロールコア３２０の周りの円形経路を回転することができる一方で、ロールコアは回転せずに維持され、その上昇位置から下方に下降されて高分子材料またはフィラメントの層を前もって適用された乾燥繊維マット層３３２上に加えることができる。押出し機組立体４１０は、当業者によって知られる方法によって動作し、複数の、たとえば２つのビン４１２を含んで構成され、該ビン４１２の中にペレット状の高分子材料４１３を入れることができる。ペレット状の高分子材料４１３は、重力によって各ビン４１２からそれらに連結されたホッパ４１４中に落下する。各ホッパ４１４からは、ペレット状の高分子材料が押出し機４１５に送られる。各押出し機４１５は高分子材料を共通の供給ヘッド４１１（図２および図３に最適に示されている）に押出し、該供給ヘッド４１１では高分子材料のフィラメント５１０をロールコア外表面３２２に適用する。
【００６８】
供給ヘッド４１１は幾つかの押出し機４１５に共通であるので、それぞれ異なる量の充填剤または添加剤を含んだ幾つかの異なる高分子材料が供給ヘッド４１１中で混合されて乾燥繊維マット層３３２に適用されて、異なる機械的特性を有する幾つかの別の層から成る高分子フィラメント５１０を形成することができる。たとえば、ビン４１２の一方に低い繊維濃度の、あるいは繊維を全く含まないペレット状の熱可塑性材料４１３を導入し、他方に高い繊維濃度を有する熱可塑性材料４１３を導入することができる。使用される繊維としては、ガラス繊維、炭素繊維および／またはアラミド繊維が可能である。ここで図９および図１１（ａ）を参照すると、このようにして２つの異なる熱可塑性材料が供給ヘッド４１１中で集束し、得られた押出物は高い繊維含量を有する熱可塑性下層ストック５１０ａと低い繊維含量を有するか或いは繊維を含有しない熱可塑性上層ストック５１０ｂとを含む二層フィラメント５１０である。熱可塑性下層ストック５１０ａの繊維含量を高くすると、この層の熱膨張係数をロールコアの金属面３２２の熱膨張係数付近まで低下させることができ、これにより硬化後の残留応力を最小限に抑えることができる。たとえば、下層ストックにガラス、炭素またはアラミド繊維が用いられる場合、推奨量はこれらの繊維の重量で１０〜４０％である。下層５１０ａの繊維含量をより高くすることにより、靱性を高め、熱伝導率、熱安定性および衝撃耐性を高め、硬化後の残留応力を最小限に抑えることができる。フィラメント５１０の上層ストック５１０ｂの繊維濃度を低くすることにより、望ましい動作特性を提供するより柔軟で平滑な外表面が得られる。たとえば、ガラス繊維が上層ストック５１０ｂに用いられる場合、推奨量はガラス繊維の重量で０〜２０％、好ましくは１０％である。ケブラー繊維などのアラミド繊維が上層ストックに用いられる場合、推奨量はケブラー繊維重量で０〜１５％、好ましくは８〜９％である。炭素繊維が上層ストック５１０ｂに用いられる場合は、推奨量は炭素繊維重量で０〜２０％、好ましくは１０％である。あるいは、下層ストック５１０ａと上層ストック５１０ｂの両方を繊維含量を含む同一の組成を有する熱可塑性材料から製造してもよい。繊維以外の添加物を熱可塑性材料に添加して層の機械的特性を変化させることもできる。
【００６９】
本発明においては、乾燥繊維マット層３３２を被覆するためにフィラメント５１０内で用いられることのできる、高性能熱可塑性材料および熱硬化性材料を含む多くの異なる適切な高分子材料が存在する。特に適切な熱可塑性材料の例としては、ポリエチレンまたはポリエーテルスルホン、ポリフェニレンスルフィド、ポリフェニレンオキシド、またはポリエーテルエーテルケトンが挙げられる。従来技術において利用されているエポキシ樹脂に浸漬された繊維状担体などの熱硬化性材料とは対照的に、高性能またはエンジニアリング熱可塑性材料をフィラメント５１０として使用することにより多くの利点が得られる。最も重要なものとして、高性能熱可塑性材料からなるフィラメント５１０は、著しく高い性能特性、たとえば高い引張強さ、高い熱耐性、高い表面平滑度、高い耐久性、および長い寿命などを有している。本発明の方法に従い、本発明の装置を利用して、乾燥繊維マット外表面３３２にたとえばポリエタンやエポキシなどの他の粘性熱硬化性材料を適用することもできる。
【００７０】
図２および図４を再度参照するが、ここでは、回転可能なターンテーブル４００上に取り付けられた各要素は動作のために電力を必要とすることを述べておくことが重要である。図２および図４に最適に示されるように、ターンテーブルに取り付けられた要素に対する電力および制御信号の伝達は、複数の導電性ブラシ４８５と連通するケーブル４８０を介して外部供給源から供給される。前記導電性ブラシ４８５は、ターンテーブル４００の下側に配置された複数の同心円上に取り付けられたスリップリング４９０と電気的に連通している（図４も参照のこと）。このようにして、スリップリングからターンテーブル４００を通して電気が送られ、ターンテーブルが静止している間および回転している間、ターンテーブルに取り付けられた要素に連続的に電力およびプロセス制御を提供している。
【００７１】
ガラス繊維マット層３３２をロールコアの外表面３３２に巻き付け、高分子材料５１０をガラス繊維マット３３２上に押し出すための工程について、本発明の方法および装置を用いるための典型的なケースとして以下で詳細に検討していく。工程の最初に、使用済みロールコア３２０が、最終製品を製造する際に被覆ロールを使用するような顧客、たとえば製紙工場、繊維工場、あるいは磁気フィルム製造業者から返却される。顧客から返却されたロールコアは被覆が実質的に消費されており、新しい被覆を適用する必要がある。まず最初に、被覆材料を物理的に除去した後、当業者によって知られている方法によってロールコアの外表面３２２を完全に清浄化して全ての残留した被覆材料を除去しなければならない。この清浄化工程には、脱脂または既知の溶媒および溶液を用いてロールコア外表面３２２上に残留する全てのグリースおよび／または油を除去することが含まれる。脱脂工程の後、延長部分３４０を上述の方法でロールコア３２０の端部に固定する。次に、ロールコア外表面３２２全体に対してを該外表面に固定された延長部分３４０とともに、全てのさび、汚れおよび残留ロール被覆材料を除去する目的でショットブラストを行う。ショットブラスト後、ショットブラストを行って直ぐのロールコア外表面３２２上に当業者によって知られている方法によって化学溶液をブラシで塗布する。この化学溶液はロールコア外表面３２２の酸化を容易にして、ロールコア外表面３２２とエポキシとの接着性を高める。該エポキシは下塗り剤として塗布されるか、或いは下塗り剤として使用されない場合には工程中の後ほどにガラス繊維マット層３３２に注入される。次に、液体のエポキシ下塗り層３３１（図２３）をロールコア外表面３２０全体に塗布し、該ロールコア上に巻き付けられる乾燥ガラス繊維マット３３２と接着させる。
【００７２】
ここで図２１および図２２を参照すると、ガラス繊維マット３３２は、内側層６００、第２層６０５、第３層６１０および外側層６１５を含む複数のガラス繊維材料の層を含んで構成されている。図２２に最適に示されるように、第２層６０５はその前縁部６０５ａ付近において任意の適切な手段、たとえば縫合部６０６によって内側層６００に固定される。この縫合部６０６は、前縁部６００ａから内側層６００全長に沿って約四分の一の位置に設けられ、継ぎ目を形成する。同様に、第３層６１０はその前縁部６１０ａ付近において任意の適切な手段、たとえば縫合部６１１によって第２層６０５に固定される。この縫合部６１１は、前縁部６０５ａから第２層６０５全長に沿って約四分の一の位置に設けられ、継ぎ目を形成する。最後に、外側層６１５はその前縁部６１５ａ付近において任意の適切な手段、たとえば縫合部６１６によって第３層６１０に固定される。この縫合部６１６は、前縁部６１０ａから第３層６１０全長に沿って約四分の一の位置に設けられ、継ぎ目を形成する。
【００７３】
図２２に最適に示されるように、ロールコアは乾燥ガラス繊維マット３３２の巻き付けのために水平に向けられている。ここで、ガラス繊維マット３３２は、乾燥状態において高い引張張力下、エポキシ樹脂を一切加えずにロールコア外表面上に適用されることを述べておくことが重要である。液体エポキシ樹脂が高分子層５１０を通して乾燥ガラス繊維層３３２に注入されその内部で硬化されるのは、高分子層５１０をマット３３２に巻き付け、適当な温度に冷却してから後のことである。エポキシ樹脂の注入の仕方は後で詳細に説明する。
【００７４】
内側層６００の前縁部６００ａがまずエポキシで下塗りされたロールコア外表面３２２に適用される。その後、乾燥ガラス繊維マット３３２がスプール６２０から繰り出され、ローラ６２５上に搬送され、ここでロールコア外表面３２２にしっかりと巻き付けられる。同時に、供給ローラ６３５に巻き付けられた一定の長さの担体材料６３０、たとえば紙などが該ローラから巻き戻されて、ローラ６２５上のマット３３２によって搬送される。担体材料６３０は、マット３３２がロールコア外表面３２２の主要部分に巻き付く際にマット３３２とともに移動する。このようにして、担体材料６３０は乾燥ガラス繊維マット３３２を支持し、ロールコア外表面３２２上へのしっかりとした巻き付けを保証する。担体材料６３０は、第２のローラ６４０によってロールコア外表面３２２から離反され、ローラ６４５上に巻き取られる。ここで記載の実施形態において、ロールコア外表面を予め加熱しておく必要がないことを述べておくことが重要である。
【００７５】
ここで図２２および図２３を参照すると、前縁部６００ａから後縁部６００ｂまでの内側層６００の長さは、ロールコア外表面３２２の円周と略等しく、内側層がロールコア外表面上に適用されたときに、その後縁部６００ｂが先に適用された前縁部６００ａに当接するような関係になる。縁部６００ａと６００ｂの当接については、図２３の６００ｃに示されている。第２層６０５は内側層６００よりも僅かに長く、第２層が内側層上に適用されたときに、その後縁部６０５ｂがその前縁部６０５ａに当接するような関係になる。縁部６０５ａと６０５ｂの当接については、図２３の６０５ｃに示されている。同様に、第３層６１０は内側層６０５よりも僅かに長く、第３層６１０が第２層６０５上に適用されたときに、その後縁部６１０ｂがその前縁部６１０ａに当接するような関係になる。縁部６１０ａと６１０ｂの当接については、図２３の６１０ｃに示されている。同様に、外側層６１５の縁部６１５ａと６１５ｂの当接は、図２３の６１５ｃに示されている。外側層６１５の前縁部６１５ａおよび後縁部６１５ｂは、たとえば縫合などの任意の適切な手段によって互いに固定される。このように巻き付けを行うことにより、各層の当接継ぎ目６００ｃ、６０５ｃ、６１０ｃおよび６１５ｃは、互いに重なり合うことなく、ロールコア外表面３２２の周囲において互いに均等に十分な間隔が保たれる。縫合継ぎ目が互いに重なり合うと、仕上がったロールコアの外層の厚みにばらつきが生じることがある。得られる強化繊維マット３３２は、約０．６４ｃｍ（０．２５インチ）〜約０．８１ｃｍ（０．３２インチ）の厚みを有し、好ましくは約０．７６ｃｍ（０．３０インチ）の厚みを有する。繊維層の数およびそれらの構造と材料ならびに厚みは、その用途に応じて設計することができる。
【００７６】
図２１および図２２に示されるように、乾燥ガラス繊維マットの層６００および６０５はそれぞれ２重構造から成っている。すなわち、内側層６００は不規則なパターンで配列された密に充填されたガラス繊維から成る第１の層６０１と、密に充填された一方向ガラス繊維から成る第２の層６０２とによって構成され、これらの層は互いに平行であり、ロールコア３２０の中心軸に対して垂直に配向されている。第２層６０５は、不規則なパターンで配列された密に充填されたガラス繊維から成る第１の層６０７と、密に充填された一方向ガラス繊維から成る第２の層６０８とによって構成され、これらの層は互いに平行であり、ロールコア３２０の中心軸に対して平行に配向されている。直線状かつ、ロールコアの中心軸に対して平行および垂直方向に配向されたガラス繊維を含めることにより、ガラス繊維マット３３２はロールコアの中心軸方向においてロールコアの円周全体に亘って高い引張強さを与える。第３層６１０および外側層６１５はいずれも不規則パターンで配列された密に充填されたガラス繊維の単一層によって構成されている。
【００７７】
次に、図２４に最適に示されるように、前述したようにスペーサリング３５５が、中ナット３６０を用いてロールコア底端部３１９に配設された延長部分状に摺動可能に取り付けられる。一定の長さのシール材３５７が、ロールコア下端部３１９付近のガラス繊維マット層３３２の下縁部とスペーサリング３５５の間で延長部分３４０に適用される。シール材３５７は、後述する注入工程中におけるエポキシ樹脂の漏れを防ぐために設けられる。次に、マットが巻き付けられたロールコア３２０が装置１０内に配置され、前述のようにして上昇位置において対向チャック２３０と３２５の間に垂直に保持される。
【００７８】
前述のように、本発明に従えば、ガラス繊維マット３２５が巻き付けられていないロールコアであっても、該ロールコアの外表面に直接高分子層を適用するためにチャック２３０と３２５の間に配置することができる。この実施形態においては、ロールコアを対向チャック２３０と３２０の間に垂直に配置する前に加熱工程を実施する必要がある。予熱工程の間、ロールコア３２０全体をオーブン３２１（図１）内に置き、その外表面３２２（図２３）および延長部分３４０が所定の温度、たとえば約３５℃〜２８８℃（９５°〜５５０°Ｆ）に達するまで予熱する。外表面が所定の温度に達したところで、ロールコアをオーブン３２１から取り出して装置１０内に配置し、前述のようにして上昇位置において対向チャック２３０と３２５の間に垂直に保持する。
【００７９】
次に、（１）成形テープ４４０に所定量の張力をかける（２）押出し機組立体４１０の供給ヘッド４１１から押し出される高分子材料を安定化してターンテーブル４００回転中の適切な押出し速度を保証する、という２つの目的のために「起動プロセス」を実施する。起動工程は乾燥ガラス繊維マット層３３２上に高分子材料を適用する前に実施する。一般的に言えば、起動中、昇降機が下降しないようにしながら、ターンテーブル４００およびこれに取り付けられた押出し機組立体４００が非回転ロールコア周りに回転される。押出し機ヘッド４１１から押し出されたフィラメントは、ターンテーブル４００および押出し機組立体４１０とともに回転しているスペーサリング３５５内の開口部３５６を介して落下する。
【００８０】
ここで起動プロセスについてより詳細に説明する。成形テープディスペンサ４３０は、所定の温度および張力で該ディスペンサに巻き付けられた状態で保存されている一定の長さの成形テープ集成体４４０を供給するために設けられる。ここで図２０を参照すると、「起動」を行うために、成形テープ集成体４４０の前縁部が成形テープディスペンサ４３０（図１）から巻き戻され、任意の適切な手段、たとえば高温接着テープ４４５などのによってスペーサリング３５５の外表面に装着される。図２０に最適に示されるように、成形テープ集成体４４０の前縁部は、該前縁部がスペーサリング３５５の一体部分を構成する開口部３５６上に延びるように適用される。ターンテーブル４００の回転はロールコア３２０を非回転に保ち、上昇位置にある状態で開始される。言い換えれば、起動中、昇降機組立体１８５は作動されず、したがってロールコアは下降されずに上昇位置に保たれる。起動手順の間は成形テープ４４０が螺旋巻き取り工程を開始しないことが重要である。
【００８１】
ここで図９および図１２を参照すると、起動中は成形テープ集成体４４０が自身の上に巻き付かないことが重要である。これが起こらないようにするために、ロールコア３２０を非回転に保ったまま、成形テープ集成体４４０の前縁部が装着されるスペーサリング３５５をターンテーブル４００とともに回転させなければならない。起動中のスペーサリング３５５の摺動回転を可能にするために、スペーサリング３５５には該リングの側壁に孔４９５が設けられ、該孔４９５はターンテーブルに搭載されたピン割り出し要素４４９上に取り付けられたピン５００と整合しかつこれを受容するように構成されている。起動手順の間、ピン割り出し要素４４９は、ピン５００が孔４９５から離れている後退位置（図９に最適に示されている）から、ピン５００が孔４９５内に挿入されている伸長位置（図１２に最適に示されている）までピン５００を割り送るように構成されている。ピン割り出し要素４４９は、空気圧縮機４４７（図２に最適に示されている）によって給送される圧縮空気によって駆動されるとともに、ターンテーブル４００上に取り付けられ昇降移動の開始と同期して作動される。ピン５００がスペーサリング３５５の孔４９５内に挿入されると（図１２）、ターンテーブル４００の回転に従ってスペーサリング３５５がロールコア外表面３２２に対して摺動回転する。前述のように起動手順の間、ロールコア３２０は静止したままである。このようにして、起動手順の間、前縁部がスペーサ３５５に装着されている成形テープ集成体４４０がスペーサリング３５５上に巻き付くのを防いでいる。
【００８２】
開口部３５６は図１２および図２０に最適に示されている。成形テープ集成体３５５が該図中に示されるように開口部３５６上に延びている状態において、開口上部と、開口底部と、成形テープ集成体４４０によって形成される外側壁とを有する筐体が形成される。これに関して、押出し機組立体４１０の供給ヘッド４１１が開口部３５６の開口上部の真上に位置している。ピン５００が孔４９６内に挿入されているので、起動手順の間、開口部３５６はターンテーブル４００が回転しても押し出しの供給ヘッド４１１の真下の位置に維持される。このようにして、供給ヘッド４１１が回転の間に適切な供給速度が得られるように調節されながら、高分子材料５１０が乾燥ガラス繊維マット送３３２に対して重積されないように（あるいは乾燥ガラス繊維マット送３３２が用いられない場合には金属ロールコア外表面３２２に対して）して開口部３５６を介して押し出される。所定の成形テープ張力に達し、ターンテーブル４００および供給ヘッド４１１からの押出物の両方が安定した速度に達したところで起動手順は終了し、高分子送を巻き付けによって乾燥ガラス繊維マット層３３２（あるいはあるいは乾燥ガラス繊維マット送３３２が用いられない場合には金属ロールコア外表面３２２）上に高分子層を形成することができる。本発明における起動手順は２〜４回で達成される。
【００８３】
図２および図９を参照すると、高分子層５１０を形成するために、ピン５００がスペーサ組立体孔４９５から引き戻され、スペーサリング３５５は任意の適切な手段、たとえばテーピングなどによって延長部分３４０にロックされる。ターンテーブル４００が作動される。スペーサリング３５５が延長部分に固定されているので、ターンテーブル４００が回転すると成形テープ集成体４４０が巻き戻る。これと同時に、モータ駆動式昇降機組立体１８５が作動され、これによりロールコア３２０が上昇位置から下方位置にゆっくりと降下する。ロールコア３２０の下方移動は、任意の適切な速度、たとえば一回転あたり約１．２７ｃｍ（０．５０インチ）とすることができ、該速度は押出物の外形の寸法によって決定されう。ターンテーブル４００が回転移動することにより、成形テープディスペンサ４３０がロールコア３２０の周りの円形経路内を移動し、成形テープ集成体４４０をロールコア３２０上のスペーサリング３５５の周囲に巻き付ける。図２および図９に最適に見られるように、昇降機組立体１８５によるロールコア３２０の降下により、成形テープ集成体４４０が乾燥ガラス繊維マット層３３２の底部３１９から上部３１７に至るまでの全長に亘って螺旋状に重なるように巻き付けられる。重なりの量、たとえば約１．３ｃｍ（０．５インチ）は、ロールコア３２０の下方移動の速度、たとえば１回転あたり約１．３ｃｍ（０．５インチ）ならびに使用されるテープの幅、たとえば約２．５ｃｍ（１インチ）によって決定される。得られるフィラメント５１０は、被覆ロールに対して顧客の要求する厚み、たとえば約１．２７ｃｍ〜１．０２ｃｍ（０．５０インチ〜０．４０インチ）まで機械加工を行うことができるように、十分な厚み、たとえば約１．６５ｃｍ（０．６５インチ）の厚みを有している。
【００８４】
前述したように、本発明においては、高分子層５１０を予め巻き付けられたガラス繊維マット３２５上にではなく、ロールコア３２０の外表面３２２に直接適用することもできる。この実施形態においては、高分子層５１０はロールコア３２０の外表面３２２に直接適応されるので、ロールコア外表面３２２を予熱する必要がある。予熱は、使用される高分子材料に応じた所定の温度、たとえば約３９９℃（７５０°Ｆ）などにおいてロールコア外表面３２２を局所的に加熱できるような、回転式搭載誘導加熱器４２０（図３）を用いて行われる。予熱は該表面上に押し出された熱可塑性フィラメント５１０を適用する直前に行われる。局所的加熱は、ロールコア外表面から約０．６４ｃｍ（４分の１インチ）の位置に適用される。このようにして、表面処理された露出金属からなるロールコア外表面３２２は、ロールコア外表面３２２への適用中におけるフィラメント５１０の急激な冷却を避けながら、押し出されたフィラメント５１０とほぼ同温度まで加熱される。
【００８５】
本発明の誘導加熱装置４２０は、溶融高分子押出物５１０をロールコア外表面に適用する前に、該ロールコア外表面を急速に高温まで加熱するために調節可能に設計されている。局所的加熱は、ロールコア外表面の表皮の深さを浅くする、たとえば金属シェル外表面の下の全深さが約０．３８ｃｍ（０．１５インチ）になるようにするためだけのものである。金属シェルの局所的加熱は、溶融高分子と金属表面との間の接着性を高める。局所加熱された外表面よりも低い温度を有するロールコアの残りの部分は、表面からゆっくりと熱を吸収する。ロールコアの予熱およびその金属シェルの局所的加熱はともに、適用された溶融高分子が徐々に冷却されるこを可能にする。熱収縮によって押し出されたフィラメント５１０内に蓄積された応力は、冷却が徐々に行われるために最小限に抑えられ、接着界面５１０ｃを介して上層ストック５１０ｂの外部に広がる。より低い温度の予熱された金属コアからの熱は、ブレーキとして機能し、高分子被覆がそのガラス転移温度（Ｔｇ）に近づくにつれ冷却プロセスが迅速に起こるのを防止する。フィラメント５１０の温度がガラス転移温度（Ｔｇ）以上の該温度付近に保たれる時間を引き延ばすことにより、フィラメント５１０内の残留応力を劇的に減少させるような効果的なアニーリング工程が達成される。また、下層５１０ａが上層ストック５１０ｂよりも高い繊維含量を有することから、金属シェルと下層５１０ａとの間ならびに下層５１０ａと上層ストック５１０ｂとの間の熱膨張係数（ＣＴＥ）の差異が小さいため冷却中の残留応力をさらに低減することができる。したがって、このように局所的加熱を適用することにより、押し出されたフィラメント５１０に対する残留応力が効果的に減少し、プラスチック被覆のひび割れの可能性が最小限に抑えられる。局所的加熱はロールコア外表面３２２に対するフィラメント５１０の接着性も高める。
【００８６】
図８および図１７に最適に示されるように、成形テープ集成体４４０は任意の適切な材料、たとえばステンレス鋼などから構成することができ、複数のリボン、すなわち内側リボン５４１、中間リボン５４２および外側リボン５４３から構成される。各リボンは任意の適切な高さ、たとえば約１．０ｃｍ（０．４インチ）を有することができ、また任意の適切な厚み、たとえば約０．０１３ｃｍ（０．００５インチ）を有することができる。リボンは、任意の適切な手段、たとえば仮付け溶接部４４４などによって、互いに重なり合うように固定され、３重構造を構成する。内側リボン５４１と中間リボン５４２の間ならびに中間リボン５４２と外側リボン５４３の間の重なり領域は、任意の適切な大きさ、たとえば約０．２５ｃｍ（０．１インチ）とすることができる。重大なことは、得られる成形テープ集成体４４０の形状が円弧状あるいはスペーサリング３５５の円周に略等しい長さ（図８に最適に示されている）、たとえば約８．９〜７６．２ｃｍ（３．５〜３０インチ）に亘って所定の曲率半径で湾曲するように、リボン同士が仮付け溶接されることである。言い換えれば、図１７に示されるように、円弧状に形成された成形テープ集成体４４０が直線状または平坦に形成されていたならば、仮付け溶接部４４４間のリボン５４２は曲率半径を維持しながらリボン５４１に仮付け溶接されていることから波うった様相を呈することになるであろう。同様に、仮付け溶接部４４４間のリボン５４３は曲率半径を維持しながらリボン５４２に仮付け溶接されていることから波うった様相を呈することになるであろう。
【００８７】
ここで図９および図１１（ａ）を参照すると、成形テープ集成体４４０は固有の円弧または曲率半径を有するものとして作製されているので、供給時には自身に巻き付いて螺旋を形成する傾向にある。ここで図１０（ａ）を参照すると、３重構造の成形テープ集成体４４０の３つの巻線の例が示されている。ここに示された巻線の例には、内側リボン５４１ａと、中間リボン５４２ａと、外側リボン５４３ａとを含んで構成される第１の巻線、内側リボン５４１ｂと、中間リボン５４２ｂと、外側リボン５４３ｂとを含んで構成される第２の巻線、ならびに内側リボン５４１ｃと、中間リボン５４２cと、外側リボン５４３ｃとを含んで構成される第３の巻線が含まれる。図１０（ａ）に示されるように、第２の巻線の外側リボン５４３ｂは、第１の巻線の中間リボン５４２ａに接触し、部分的に重なり合っている。同様に、第２の巻線の中間リボン５４２ｂは、第１の巻線の内側リボン５４１ａに接触し、部分的に重なり合っている。同様にして、第３の巻線の外側および中間リボン、すなわち５４３ｃおよび５４２ｃは、それぞれ第２の巻線の中間リボンおよび内側リボン、すなわち５４２ｂおよび５４１ｂに接触し、部分的に重なり合っている。また、図１０（ａ）に最適に示されるように、１つの巻線から次の巻線への重なりの量は、昇降機組立体１８５によってロールコアを降下させるときの速度を調節することにより調節することができる。したがって、図９、図１０（ａ）および図１１（ａ）に示されるように、成形テープ集成体４４０が巻き付けられると、内側リボン５４１と、中間リボン５４２と、外側リボン５４３とを含んで構成される３重構造の円筒形状が得られる。ここで成形テープ４４０が２重構造から成る図１０（ｂ）を参照すると、３重構造に関して記載したようにして巻き付けた場合、この２重構造もまた同様の円筒形状になる。円筒形状に形成された成形テープ集成体４４０は、遷移被覆ロールコアを該ロールコアと間隔を空けて包囲し、せきまたは適用区域５０５を形成し、ここに高分子材料からなるフィラメント５１０を押し出すことができる（図９に最適に示されている）。適用区域５０５は、螺旋状に巻き付けられた成形テープ集成体４４０の内表面と乾燥ガラス繊維層３３２の外表面との間の空間として定義される。あるいは、繊維層３３２を用いない先に検討した実施形態においては、適用区域５０５は、螺旋状に巻き付けられた成形テープ集成体４４０の内表面と金属ロールコアの外表面３２２との間の空間として定義される。
【００８８】
成形テープ４４０が適用区域５０５を形成する一方で、押出し機組立体４１０は高分子のフィラメント５１０をガラス繊維層３３２（またはガラス繊維層３３２が用いられない場合にはロールコアの外表面）上に押し出す。上で検討したように、フィラメント５１０はガラス含量の高い下層とガラス含量の低い外層とから成る２重構造を有するものであってもよい。成形テープ４４０はフィラメント５１０が硬化前に弛むのを防ぐための支持型として機能する。該成形テープ４４０はフィラメント５１０の外径も定義する。ターンテーブル４００の回転移動により、押出し機組立体４１０がロールコア３２０の周りの円形経路内を移動する。これは、中央開口部１８０内における上昇位置から下降位置までの繊維被覆ロールコア３２０のゆっくりとした降下と組み合わさって、連続的に押し出されたフィラメント５１０をロールコア底部３１９に配置された延長部分３４０の外表面上に螺旋上に巻き付かせる。フィラメント５１０の第１の巻線はスペーサリング３５５によって支持されている。フィラメント５１０の後続の巻線は、前の回転の間に巻き付けられた前層によって支持される。フィラメント５１０の後続の巻線はガラス繊維層３３２の底部から上部に巻き付けられた後、ロールコア上部３１７に配置された延長部分３４０に巻き付けられる。
【００８９】
ガラス繊維マット３２２を用いる実施形態においては、フィラメント５１０が、露出した金属から成るロールコアの外表面３２２上に直接ではなく、ガラス繊維マット３３２上に押し出されるので、ロールコア外表面の局所的加熱が一切必要でないことを述べておくことが重要である。したがって、非常に低い熱伝導係数と高い温度耐性を有するガラス繊維マット３３２は、過度に急激な冷却を防ぐとともに、冷却中における残留応力の蓄積およびフィラメント５１０のひび割れを防ぐ。
【００９０】
フィラメント５１０は、異なるサイズの供給ヘッド４１１を用いて顧客に適した所定の厚み、たとえば約０．７６２ｃｍ〜２．５４ｃｍ（０．３００インチ〜１．０００インチ）で押し出すことができる。図３に最適に示されるように、フィラメント５１０を異なるサイズのロールコアに適用するために、押出し機組立体４１０、誘導加熱器４２０および成形テープディスペンサ４３０はすべて、ターンテーブル上に設けられた複数の細長いスロット５１４内に移動可能に固定された可動プラットホーム５１２に取り付けられる。このようにして、プラットホーム５１２を細長いスロット５１４に沿って移動させて、ロールコア外表面３２２からプラットホームに取り付けられた要素までの距離を調節することができ、これにより、乾燥ガラス繊維層３３２またはロールコア外表面３２２への適用に先だってフィラメント５１０の位置決めを行うことができる。
【００９１】
前述のように、フィラメント５１０を螺旋状に巻き付ける間、ロールコア３２０は回転せずに、押出し機組立体４１０がターンテーブルに搭載された残りの要素とともに回転される。フィラメント５１０の適用はロールコア３２０を回転させ、押出し機組立体４１０および他の回転可能な搭載された要素を静止状態に保つのではなく、上記のようにして行われる。このように適用した場合、押し出されたフィラメント５１０を螺旋巻き付けの間にロールコア外表面３２２から遠ざけ、乾燥ガラス繊維層３３２に対する押し出されたフィラメント５１０の接着性を悪化させる傾向にある遠心力が不要に蓄積される結果になる。
【００９２】
この遠心力は、非常に大きなサイズのロールコアを比較的低粘度またはゆっくりと硬化する樹脂材料によって高い生産速度、すなわち高い回転速度で被覆する場合、特に悪影響を及ぼす。本発明においては、連続するフィラメント５１０を垂直に配向されたロールコア３２０に適用する際に、フィラメント５１０を支持層上に突き固めるために重力を利用する。従来技術の方法においては、水平に向けられたロールコアを回転させることによって被覆を行っており、この場合重力は、被覆が回転の最上部にあるときに該被覆をロールコアに押しつけ、該被覆が回転の最下部にあるときに該被覆をロールコアから引き離す傾向にある。この問題を相殺するためにより高い回転速度を適用することもできるものの、これによって、被着されたフィラメント５１０をロールコア外表面３２２から引き離す傾向になる遠心力が蓄積してしまう。また、被覆の巻き付け時にロールコアが水平に向けられる先行技術においては、（自身の発熱または外部から与えられる熱のいずれかによって）速く硬化する熱硬化性樹脂のみが使用に適しており、得られる被覆は超カレンダ加工などの需要の高い要求には適さないこともある。
【００９３】
次に、被覆ロールコアを中央開口部１８０内に収納しながら放冷する。あるいは、被覆ロールコアの冷却速度を調節するために、被覆ロールコアを装置１０から取り出して、乾燥機または他の断熱性チャンバ内に入れることもできる。
【００９４】
ガラス繊維マット下層を用いる実施形態においては、冷却が終了すると、ロールコアに対して成形テープ４４０および高分子層５１０を通してガラス繊維マット層３３２の内部まで穴あけすることにより、密に覆われたガラス繊維マット層３３２内にエポキシ樹脂を注入することが可能である。図２４〜２６に最適に示されるように、複数の入口孔が図示された位置においてロールコア底部３１９付近に穴あけされ（図２４および図２５に最適に示されている）、バルブ３３３がその中に挿入される。バルブ３３３はそれぞれライン３３６に接続されており、該ライン３３６を介してエポキシ樹脂が給送（または供給）される。同様のバルブ３４１がロールコア上部３１７付近に穴あけされた真空孔を介して挿入される。バルブ３４１は真空ライン３４３によって真空源に接続され、真空にされる。エポキシ樹脂が入口バルブ３３３を介して給送（または供給）され、ガラス繊維層３３２中に注ぎ込む。予め適用されたシール材３５７は、エポキシ樹脂がロールコア３１９の底端部付近に配置された延長部分３４０を越えて下方に漏れるのを防ぐ。真空バルブ３４１のレベルを入口バルブ３３のレベルより高く維持することにより、ガラス繊維マット内３３２の泡がエポキシ樹脂注入中に真空バルブ３４１を介して確実に逸出する。最終的に、エポキシ樹脂が真空バルブ３４１から滲出する。これが起こると、全てのバルブ３３３および３４１が閉じられる。その後、エポキシ樹脂をゲル化させる。
【００９５】
図２７は、ガラス繊維マット層３３２中へのエポキシ樹脂の注入を行うためのロールコアの別の製造方法を示している。この方法において、ロールコア底部３１９付近に設けられた延長部分３４０を介し、ガラス繊維マット層３３２の内部のシール材３５７の直ぐ上の位置まで通路孔が穿孔され、該通路孔内にバルブ３３３が挿入される。その後、成形テープ４４０によって覆われた被覆ロールコア４４０を装置１０から取り外し、乾燥機中に水平に載置し、回転させながらエポキシ樹脂を硬化させる。
【００９６】
次に、いずれの実施形態においても、すなわちガラス繊維マット下層を用いるものと用いない実施形態のいずれにおいても、成形テープ４４０を繰り出すことによってこれを高分子材料５１０の外表面から除去することができる。図２８に最適に示されるように、高分子材料層５１０は粗い表面を有しており、所望の平滑度にするために機械加工を行う必要がある。この機械加工は、被覆ロールコアを旋盤５２０上に水平に載置し、高分子層５１０の外表面を図２９に示されるような適切なバイト５２５を用いて所定の平滑度５１５まで機械加工することによって達成される。
【００９７】
加工の次の段階は、高分子材料層５１０をロールコア外表面まで貫通し、２つの延長部分３４０をその端部において取り外すことである。縁部は、顧客に返却できるような最終ロールを得るために、僅かな斜面（図示せず）を形成するように処理されてもよく、このことは現在では技術上周知である。最終的な被覆ロールが図３０の５５０に延長部分３４０およびスペーサ組立体３５０が取り外された状態で示されている。本発明の方法および装置によって作製された径が約５１ｃｍ（２０インチ）、長さが約３８１ｃｍ（１５０インチ）の寸法を有するの典型的な被覆ロールは、向上した性能特性を併せ持っている。それらの性能特性としては、０〜２Ｒａミクロインチの表面荒さを達成可能、約６９Ｐａ〜４５Ｐａ（６５０，０００〜１，０００，０００ｐｓｉ）のヤング率、８７〜９３ショアＤの被覆硬さ、および約（２２１℃）４３０°Ｆのガラス転移温度Ｔｇなどが含まれる。
【００９８】
典型的には、本発明に従って被覆された超カレンダロールは、長さが約２５４ｃｍ〜７６２ｃｍ（１００インチ〜３００インチ）であり、ロールコアに被覆を適用した後の径が約２５ｃｍ〜９１ｃｍ（１０インチ〜３６インチ）である。典型的には、磁気テープを作製するために用いられるロールは、長さが約２５ｃｍ〜１０２ｃｍ（１０インチ〜４０インチ）であり、本発明に従ってロールコアに被覆を適用した後の径が約１５ｃｍ〜５１ｃｍ（６インチ〜２０インチ）である。上述の長さおよび径は単なる例であって、本明細書中に記載される発明の範囲を限定することを意図していないことが認識されるべきである。繊維製造などの他の用途において使用されるロールコアは、上記の範囲外の長さおよび径を有するかもしれないが、本発明に従って被覆することができる。
【００９９】
ここで図１３を参照すると、本発明の多重構造の成形テープ集成体４４０を作製するための装置７００が示されている。ここに示されるように、装置７００は、それぞれ単一のリボンが巻き付けられた複数の供給スプール７０５、７１０および７１５を含んで構成される。詳細には、供給スプール７０５には内側リボン５４１が巻き付けられており、供給スプール７１０には中間リボン５４２が巻き付けられており、供給スプール７１５には外側リボン５４３が巻き付けられている。駆動ベルト７３０によってモータ駆動式駆動プーリ７２５に連結された巻き取りホイール７２０は、単一のリボン５４１、５４２および５４３を同時にそれぞれの供給スプール７０５、７１０および７１５から引き出し、該単一のリボンを連続する速度で整合組立体７３５から湾曲シュー７４０の表面上に搬送する。湾曲シュー７４０は、リボンを弧状に保ち、その上に配置された溶接装置７３６はリボンがその下方を通過する際に断続的に該リボンを仮付け溶接し、これにより所定の曲率半径を有する成形テープ集成体４４０が得られる。各供給スプール７０５、７１０および７１５にはブレーキ組立体７１６が設けられ、成形テープ集成体４４０の作製時におけるリボンの張力調節を可能にしている。得られる成形テープ集成体４４０は巻き取りホイール７２０に巻き付けられる。最終的な成形テープ集成体が巻き付けられた巻き取りホイール７２０は、装置７００から取り外し、ターンテーブルに搭載された成形テープディスペンサ４３０に取り付けることができる。
【０１００】
ここで図１４および図１５を参照すると、整合組立体７３５は単一のリボン５４１，５４２および５４３を各供給スプール７０５，７１０および７１５から同時に受け取り、単一のリボンが該組立体７３５を通過する際に、該単一のリボンを互いにほぼ平行かつ部分的に重なり合うような配置に整合し、図８に示されるような本発明の成形テープ集成体４４０を形成するために設けられている。整合組立体７３５は、任意の適切な手段、たとえば複数のボルト７６０などによって互いに固定されて図１４のような包囲チャネル７６１を形成できるような、上側部分７５０と下側部分７５５とを含んで構成される。整合組立体７３５の下側部分７５５は、溝７７０と、溝７７０の上方に位置する第１の棚状部７７２と、第１の棚状部７７２の上方に位置する第２の棚状部７７４とを含み、これらが共に包囲チャネル７６１の床を形成している。溝７７０は、内側リボン５４１が包囲チャネル７６１を通過する際に、該リボンの全体の幅および厚さを収容するような大きさを有する。第１の棚状部７７２は、中間リボン５４２の幅の一部のみを収容するような大きさを有し、中間リボン５４２の残りの幅は、該リボンが包囲チャネル７６１を通過する際に内側リボン５４１に部分的に重なり合う。第２の棚状部７７４は、外側リボン５４３の幅の一部のみを収容するような大きさを有し、外側リボン５４３の残りの幅は、該リボンが包囲チャネル７６１を通過する際に中間リボン５４２に部分的に重なり合う。
【０１０１】
上側部分７５０は、下方に延びる一対の対向壁７５１および７５２をさらに含んで構成される。壁７５１は、複数の、たとえば３つの開口部を含み、該開口部は対向壁７５２上に配設された複数の、たとえば３つの貫通開口部と一直線上に設けられる。貫通開口部は複数のローラを包囲チャネル７６１内において壁間に平行な関係で取り付けることを可能にする。各ローラは中央アクスル７５６ａを含み、その上に第１の肩部７５８、第２の肩部７６２および第３の肩部７６４が設けられ、第１の肩部７５８の径は第２の肩部７６２の径よりも僅かに大きく、第２の肩部７６２の径は第３の肩部７６４の径よりも僅かに大きい。第１の肩部７５８は溝７７０に対して間隔をおいてチャネル７６１内に配設され、それらの間に内側リボン５４１のみを通過させる。第２の肩部７６２は第１の棚状部７７２に関して間隔を空けた状態でチャネル７６１内に配設され、それらの間に中間リボン５４２のみを通過させる。同様に、第３の肩部７６４は第２の棚状部７７４に対して隔てた状態でチャネル７６１内に配設され、それらの間に外側リボン５４３のみを通過させる。このようにして、整合組立体７３５は、成形テープ集成体４４０を形成するための溶接の間、リボン５４１、５４２および５４３のほぼ平行かつ重なり合った配置での適切な整合を確実に行う。下側部分７５５には、リボンが包囲チャネル７６１を通過するのを容易にするための複数の案内ローラ７７６も配されている。さらに、下側部分７５５上には、単一のリボン５４１、５４２および５４３を受け取り、該リボンを整合組立体７３５に案内するためのＶ字形入口７７８が設けられている。
【０１０２】
湾曲シュー７４０の詳細は図１６、図１８および図１９に示されている。前述のように、湾曲シュー７４０は、単一のリボン５４１、５４２および５４３を受け取り、該リボンがその上に搬送され溶接装置７３６によって互いに仮付け溶接される間、該リボンを所定の曲率半径で支持するために設けられる。湾曲シュー７４０は基本的に、一対の固定要素７８０と調節可能な要素７８２とを含んで構成される。図１８に最適に示されるように、固定要素７８０は互いに所定の距離だけ離れている。各固定要素７８０は上面７８０ａを有し、該上面７８０ａは、複数の整合されたリボン４４０がその上を搬送される際に、該リボンを支持するために設けられる。各上面７８０ａには丸みがつけられている。図１９に最適に示されるように、固定要素７８０は任意の適切な手段、たとえばボルト７８１によって装置７００に固定されている。図１８を再度参照すると、調節可能要素７８２は、固定要素７８０間に設けられ、溶接の間、複数の整合された単一リボン４４０を搬送するために支持するように構成された丸みのある上面７８２ａを含んでいる。図１９に最適に示されるように、調節可能要素７８２は任意の適切な手段、たとえばボルト７８１によって装置に固定されている。図１８に最適に示されるように、調節可能要素７８２は凹部７８５内に設けられる垂直に向いたスロット７８３を含む。ボルト７８１は、調節可能要素７８２が下降位置（図１８中の想像線で示される）から多数の調節位置を通って上昇位置（図１８中の実線で示される）まで垂直に移動できるように、凹部７８５内のスロット７８３内に配設される。下降位置において、整合されたリボン４４０（図１８中の想像線で示される）は、固定ヘッド７８０ａおよび調節可能ヘッド７８２ａの上面に掛け渡され、該上面上で最大曲率半径に保たれる。さらに、固定要素７８０および調節可能要素７８２には指示目盛り７８７が設けられ、使用者が所望の成形テープ４４０の曲率半径を正確に得ることができるようになっている。湾曲シュー上に配置した状態でリボン同士を仮付け溶接することにより、リボン同士が所望の曲率半径で接着され本発明の成形テープ集成体４４０が形成される。上昇位置においては、整合されたリボン４４０（図１８中の実線で示される）は、固定ヘッド７８０ａおよび調節可能ヘッド７８２ａの上面に掛け渡され、該上面上において厳密な曲率半径に保たれる。リボン同士を仮付け溶接したとき、得られる成形テープ集成体４４０はこの曲率半径を維持している。
【０１０３】
溶接装置７３６は図１６に最適に示されており、リボン５４１、５４２および５４３をともに重なり合う配向でかつ湾曲シュー７４０の調節によって決定される所定の曲率半径で仮付け溶接し、成形テープ４４０が上述のように高分子材料５１０に適用される間に繊維被覆ロールコアの周りに螺旋状に巻き付くことができるようにする。溶接装置７３６は、電気接点ブラシ７９０を介して電圧／電流源７８８（図１３）に電気接触する一対の円形の溶接ヘッド７８４および７８６を含んでいる。溶接ヘッド７８４は、中間リボン５４２が内側リボン５４１上に横たわる領域において該中間リボン５４２と接触する。同様に、溶接ヘッド７８６は、外側リボン５４３が中間リボン５４２上に横たわる領域において該外側リボン５４３と接触する。リボン５４１、５４２および５４３が湾曲シュー上を搬送されると、溶接ヘッド７８４および７８６は接触状態を保ったまま回転する。周期的電圧／電流が溶接ヘッド７８４を介して電圧／電流源７８８から供給され、これによりリボン５４２および５４１が複数の仮付け溶接部４４４によって互いに接着される（図８に最適に示されている）。同様に、周期的電圧／電流が溶接ヘッド７８６を介して供給され、これによりリボン５４３と５４２とが複数の仮付け溶接部４４４によって互いに接着される（図８に最適に示されている）。あるいは、本発明における湾曲シュー７４０の調節可能要素７８２ａは、溶接中に複数の整合された単一リボン４４０を支持してその上で搬送するように機械加工された表面を有するローラを用いることで代用することもできる。
【０１０４】
【発明の効果】
上記構成の本発明によれば、例えば熱硬化性樹脂からなる従来のロールコアの被覆と比較して強度などの多くの特性において向上したロールコアの被覆、特に熱可塑性樹脂からなる被覆を有するロールの製造が可能となる。
【図面の簡単な説明】
【図１】金属ロールコアを高分子材料で被覆するための装置の好ましい実施形態の上面図。
【図２】図１の線２−２に沿った断面図。
【図３】図２の線３−３に沿った断面図。
【図４】図２の線４−４に沿った拡大断面図。
【図５】本発明の装置の一部を構成するモータ駆動式昇降機組立体の等角図。
【図６】図２の線６−６に沿った断面図。
【図７】図２の線７−７に沿った断面図。
【図８】本発明の装置の一部を構成する成形テープの等角図。
【図９】本発明に従って強化繊維マット下層および高分子外層によって被覆された金属ロールコアの部分断面図であり、該高分子外層は好ましくは高性能熱可塑性材料から成る。
【図１０】（ａ）本発明に従って螺旋状に巻き付けられた３重構造成形テープ集成体の拡大図。（ｂ）本発明に従って螺旋状に巻き付けられた２重構造成形テープ集成体の拡大図。
【図１１】（ａ）図９の線１１−１１に沿った断面図。（ｂ）高分子材料のみによって被覆された金属ロールコアの断面図であって、該高分子材料はロールコア外表面との間にいかなる下層も介在せずに該ロールコア外表面に直接適用されている。
【図１２】図９の線１２−１２に沿った断面図。
【図１３】本発明の一部分を構成する成形テープ作製装置の側面図。
【図１４】図１３の線１４−１４に沿った拡大断面図。
【図１５】図１３に示された本発明の成形テープ作製装置の部品である２部分整合治具の等角図。
【図１６】図１３の線１６−１６に沿った拡大断面図。
【図１７】本発明に従って作製された３重構造成形テープ集成体の等角図。
【図１８】図１３に示される本発明の成形テープ作製装置の部品であるスポット溶接シューの固定された調節可能な部分の側面図。
【図１９】図１８の線１９−１９に沿った拡大断面図。
【図２０】本発明に従って乾燥強化繊維マットが巻き付けられた金属ロールコアの底部の等角図。
【図２１】本発明に従って作製された乾燥ガラス繊維マット下層の等角図。
【図２２】本発明に従い担体マットを用いて金属ロールコアに乾燥ガラス繊維マット下層を巻き付ける様子を示す図。
【図２３】本発明に従って乾燥ガラス繊維マット下層が巻き付けられた金属ロールコアの横断面図。
【図２４】本発明の１つの態様に従って被覆されたロールコアの部分断面図であって、本発明に従って樹脂材料を乾燥強化繊維マット下層中に注入する方法も示す図。
【図２５】図２４の線２５−２５に沿った断面図。
【図２６】図２４の線２６−２６に沿った断面図。
【図２７】本発明に従って樹脂材料を注入するための代替方法を示す、被覆ロールの底部の断面図。
【図２８】本発明に従って被覆された金属ロールコアの側面図。
【図２９】本発明に従って被覆された金属ロールコアを施盤内に端部が保持された状態で示した側面図。
【図３０】本発明に従って被覆された最終ロールコアの等角図。
【符合の説明】
３３２…ロールコア、２０…基部、２５，３０…側方枠部材、３５…架橋部材、１５…主枠組立部材、３２５…第１のチャック、２３０…第２のチャック、２２０…プラットフォーム組立体、１８５…昇降機組立体、３５０…スペーサ組立体、４００…ターンテーブル、１８０…中央開口、４３０…成形テープディスペンサ、４１０…押出し機、３…チェーンケーブル、８５，１０５…釣り合いおもり、３４０…延長部分、３５５…スペーサリング、３６０…中ナット、４９５…側壁の孔、４４９…割り出しピン要素、５００…ピン、１９５…ボールねじ軸、２１５…ボールナット可動要素、２５５…アーム、２７５…アイドラスプロケット、２８０…連続ループ安全チェーン、２０５…連続ループ駆動ベルト、７０５，７１０，７１５…供給スプール、７３５…整合組立体、７４０…湾曲シュー、７３６…溶接手段、７２０，７２５，７３０…搬送手段、７８０…湾曲シューの固定要素、７８２…湾曲シューの調節可能要素。
【図１】
0004634584.tif 000002
【図２】
0004634584.tif 000003
【図３】
0004634584.tif 000004
【図４】
0004634584.tif 000005
【図５】
0004634584.tif 000006
【図６】
0004634584.tif 000007
【図７】
0004634584.tif 000008
【図８】
0004634584.tif 000009
【図９】
0004634584.tif 000010
【図１０】
0004634584.tif 000011
【図１１】
0004634584.tif 000012
【図１２】
0004634584.tif 000013
【図１３】
0004634584.tif 000014
【図１４】
0004634584.tif 000015
【図１５】
0004634584.tif 000016
【図１６】
0004634584.tif 000017
【図１７】
0004634584.tif 000018
【図１８】
0004634584.tif 000019
【図１９】
0004634584.tif 000020
【図２０】
0004634584.tif 000021
【図２１】
0004634584.tif 000022
【図２２】
0004634584.tif 000023
【図２３】
0004634584.tif 000024
【図２４】
0004634584.tif 000025
【図２５】
0004634584.tif 000026
【図２６】
0004634584.tif 000027
【図２７】
0004634584.tif 000028
【図２８】
0004634584.tif 000029
【図２９】
0004634584.tif 000030
【図３０】
0004634584.tif 000031